(57)【要約】      （修正有）【課題】スケジューリング対象外のスケジューリング情報の遅延を抑え、サービスのＱｏＳ劣化を防ぐ。【解決手段】スケジューリング許可と少なくとも一つのスケジューリング対象外許可とによって定義されたリソース利用制限に従った、スケジューリング対象データとスケジューリング対象外ユーザデータとスケジューリング対象外御データとについてのデータ割当て処理を実行する。従来のＨＡＲＱ処理制限メカニズムにより必然的に含まれる制御シグナリングの遅延を減少させるために、アップリンクデータを、スケジューリング対象データとスケジューリング対象外ユーザデータとスケジューリング対象外制御データとに分ける新しい分類、また、スケジューリング対象外ユーザデータに対してだけ一定のＨＡＲＱ処理を無効化する新しいＨＡＲＱ処理制限メカニズムを提案する。【選択図】図１２
2008005507.tif 000002
【特許請求の範囲】
【請求項１】
スケジューリング対象外許可により定義されたリソース利用制限に従った、スケジューリング対象データとスケジューリング対象外ユーザデータとスケジューリング対象外制御データとについてのデータ割当て処理を実行するための方法であって、スケジューリング対象外許可は、移動端末が送信時間間隔内にアップリンクチャネルでスケジューリング対象外データを送信するために利用可能な最大量のリソースを指示するものであり、前記方法は、
スケジューリング対象外許可を複数のＨＡＲＱ処理の一部に制限し、それにより前記一部のＨＡＲＱ処理をスケジューリング対象外ユーザデータを送信するためにアクティブにし、前記制限は前記複数のＨＡＲＱ処理の残りのＨＡＲＱ処理をスケジューリング対象外ユーザデータの送信に対しては非アクティブにし、前記残りのＨＡＲＱ処理をスケジューリング対象外制御データの送信に対しては非アクティブにしないステップと、
前記スケジューリング対象外許可に従って、当該ＨＡＲＱ処理がスケジューリング対象外ユーザデータの送信にアクティブであるか否かを勘案しつつ、スケジューリング対象外ユーザデータおよびスケジューリング対象外制御データを、前記複数のＨＡＲＱ処理の一つを使用してアップリンクチャネルで送信されるトランスポートチャネルのパケットデータユニットに多重化するステップと、
次の送信時間間隔におけるアップリンクチャネルでの送信に向けて前記パケットデータユニットをＨＡＲＱ処理に供給するステップと、
を有する方法。
【請求項２】
たとえ前記ＨＡＲＱ処理がスケジューリング対象外ユーザデータの送信に対して非アクティブにされたとしても、スケジューリング対象外制御データは、ＨＡＲＱ処理に供給されるパケットデータユニットに多重化される、請求項１に記載の方法。
【請求項３】
スケジューリング許可と少なくとも一つのスケジューリング対象外許可とにより定義されたリソース利用制限に従った、スケジューリング対象データとスケジューリング対象外ユーザデータとスケジューリング対象外制御データとについてのデータ割当て処理を実行するための方法であって、スケジューリング許可およびスケジューリング対象外許可は、無線通信システムにおいて移動端末が送信時間間隔内にアップリンクでスケジューリング対象データおよびスケジューリング対象外データをそれぞれ送信するために利用可能な最大量のリソースを指示するものであり、前記方法は、移動端末により実行され、
スケジューリング対象外許可を複数のＨＡＲＱ処理の一部に対して有効であると定義し、前記一部のＨＡＲＱ処理はスケジューリング対象外ユーザデータの送信にアクティブ化され、前記スケジューリング対象外許可が無効である残りのＨＡＲＱ処理はスケジューリング対象外ユーザデータの送信には非アクティブにされるステップと、
次の送信時間間隔に向けて、アップリンク送信を待つスケジューリング対象データとスケジューリング対象外ユーザデータとスケジューリング対象外制御データとを、前記複数のＨＡＲＱ処理の一つを使用して次の送信時間間隔内にアップリンクチャネルで送信されるトランスポートチャネルのパケットデータユニットに多重化し、ここで、前記スケジューリング許可と前記該当するスケジューリング対象外許可とに従って、次の送信時間間隔に使用されるべきＨＡＲＱ処理に対してスケジューリング対象外許可が有効と定義されたか無効と定義されたかを勘案しつつ、アップリンク送信を待つスケジューリング対象データとスケジューリング対象外ユーザデータとスケジューリング対象外制御データとが多重化されるステップと、
次の送信時間間隔におけるアップリンクチャネルでのＨＡＲＱ処理にパケットデータユニットを供給し、ここで、次の送信時間間隔に使用されるべきＨＡＲＱ処理は、スケジューリング対象外制御データの送信に常にアクティブ化されるものと仮定されるステップと、
を有する方法。
【請求項４】
たとえ前記ＨＡＲＱ処理がスケジューリング対象外許可では非アクティブにされるとしても、スケジューリング対象外制御データは、ＨＡＲＱ処理に供給されるパケットデータユニットに多重化される、請求項３に記載の方法。
【請求項５】
たとえスケジューリング対象外許可が当該ＨＡＲＱ処理に対して無効であっても、スケジューリング対象外制御データは、ＨＡＲＱ処理に供給されるパケットデータユニットに多重化される、請求項３に記載の方法。
【請求項６】
スケジューリング対象外制御データは、スケジューリング関連制御シグナリングまたはＭＡＣフレーミングヘッダシグナリングを含んでなる、請求項１から請求項５のいずれかに記載の方法。
【請求項７】
スケジューリング対象外許可は、スケジューリング対象外ユーザデータおよびスケジューリング対象外制御データを送信するために移動端末が利用可能な最大量のリソースを指示する、請求項１から請求項６のいずれかに記載の方法。
【請求項８】
たとえ前記スケジューリング対象外許可が、スケジューリング対象外制御データを送信するには十分ではないリソース量を、スケジューリング対象外データ送信のために与える場合でも、スケジューリング対象外制御データは、ＨＡＲＱ処理に供給されるパケットデータユニットに多重化される、請求項７に記載の方法。
【請求項９】
スケジューリング対象外制御データの送信のために移動端末が利用可能な最大量のリソースを指示する個別のスケジューリング対象外許可を割り当てるステップをさらに有する、請求項１から請求項６のいずれかに記載の方法。
【請求項１０】
前記個別のスケジューリング対象外許可により指示されたリソース量は、次の送信時間間隔に使用すべきＨＡＲＱ処理でスケジューリング対象外制御データの送信を可能にするように常に定義される、または十分に大きいと仮定される、請求項９に記載の方法。
【請求項１１】
スケジューリング対象外許可を複数のＨＡＲＱ処理の一部に制限することを示す情報要素を含んでなる制御シグナリングを移動端末の無線リソースを制御するネットワークエンティティから受信するステップをさらに有し、
移動端末は、制御シグナリングに従って前記スケジューリング対象外許可を複数のＨＡＲＱ処理の一部に制限する、請求項１から請求項１０のいずれかに記載の方法。
【請求項１２】
スケジューリング対象外許可により指示された最大量のリソースは、送信時間間隔内にアップリンクチャネルでスケジューリング対象外データを送信するために移動端末が利用可能なデータ量により指示される、請求項１から請求項１１のいずれかに記載の方法。
【請求項１３】
スケジューリング許可により指示された最大量のリソースは、拡張個別物理データチャネルＥ−ＤＰＤＣＨと個別物理制御チャネルＤＰＣＣＨとの間の電力比により指示される、請求項１から請求項１２のいずれかに記載の方法。
【請求項１４】
スケジューリング許可および少なくとも一つのスケジューリング対象外許可を移動通信システムの無線アクセスネットワークから移動端末により受信するステップをさらに有し、または移動端末で設定される、請求項１から請求項１３のいずれかに記載の方法。
【請求項１５】
スケジューリング対象外許可により定義されたリソース利用制限に従った、スケジューリング対象外ユーザデータとスケジューリング対象外制御データとについてのデータ割当て処理を実行するように適合された、無線通信システムで使用される移動端末であって、スケジューリング対象外許可は、移動端末が送信時間間隔内にアップリンクチャネルでスケジューリング対象外データを送信するために利用可能な最大量のリソースを指示するものであり、当該端末は、データ割当て処理を実行するために、
スケジューリング対象外許可を複数のＨＡＲＱ処理の一部に制限し、前記一部のＨＡＲＱ処理をスケジューリング対象外ユーザデータを送信するためにアクティブにし、前記制限は、前記複数のＨＡＲＱ処理の残りのＨＡＲＱ処理をスケジューリング対象外ユーザデータの送信に対しては非アクティブにし、前記残りのＨＡＲＱ処理をスケジューリング対象外制御データの送信に対しては非アクティブにしない処理手段と、
前記スケジューリング対象外許可に従って、当該ＨＡＲＱ処理がスケジューリング対象外ユーザデータの送信にアクティブであるか否かを勘案しつつ、スケジューリング対象外ユーザデータおよびスケジューリング対象外制御データを、前記複数のＨＡＲＱ処理の一つを使用してアップリンクチャネルで送信されるトランスポートチャネルのパケットデータユニットに多重化するマルチプレクサと、を有し、
前記マルチプレクサは、アップリンクチャネルで送信される前記パケットデータユニットをＨＡＲＱ処理に供給するように適合される、移動端末。
【請求項１６】
スケジューリング許可と少なくとも一つのスケジューリング対象外許可とにより定義されたリソース利用制限に従った、スケジューリング対象データとスケジューリング対象外ユーザデータとスケジューリング対象外制御データとについてのデータ割当て処理を実行するように適合された、無線通信システムで使用される移動端末であって、スケジューリング許可およびスケジューリング対象外許可は、無線通信システムにおいて移動端末が送信時間間隔内にアップリンクでスケジューリング対象データおよびスケジューリング対象外データをそれぞれ送信するために利用可能な最大量のリソースを指示するものであり、前記移動端末は、データ割当て処理を実行するために、
スケジューリング対象外許可を複数のＨＡＲＱ処理の一部に対して有効であると定義し、前記一部のＨＡＲＱ処理は、スケジューリング対象外ユーザデータの送信にアクティブ化され、前記スケジューリング対象外許可が無効である残りのＨＡＲＱ処理はスケジューリング対象外ユーザデータの送信には非アクティブにされる処理手段と、
次の送信時間間隔に向けて、アップリンク送信を待つスケジューリング対象データとスケジューリング対象外ユーザデータとスケジューリング対象外制御データとを、前記複数のＨＡＲＱ処理の一つを使用して次の送信時間間隔内にアップリンクチャネルで送信されるトランスポートチャネルのパケットデータユニットに多重化するマルチプレクサと、を有し、
前記マルチプレクサは、前記スケジューリング許可および前記該当するスケジューリング対象外許可に従って、次の送信時間間隔に使用されるべきＨＡＲＱ処理に対してスケジューリング対象外許可が有効と定義されたか無効と定義されたかを勘案しつつ、アップリンク送信を待つスケジューリング対象データとスケジューリング対象外ユーザデータとスケジューリング対象外制御データとを多重化するように適合され、
前記マルチプレクサは、次の送信時間間隔にアップリンクチャネルのＨＡＲＱ処理にパケットデータユニットを供給するように適合され、
前記移動端末は、次の送信時間間隔に使用されるべきＨＡＲＱ処理はスケジューリング対象外制御データの送信に常にアクティブ化されるものと仮定する、移動端末。
【請求項１７】
移動端末のプロセッサにより実行されるとき、スケジューリング対象外許可により定義されたリソース利用制限に従った、スケジューリング対象外ユーザデータとスケジューリング対象外制御データとについてのデータ割当て処理を当該移動端末に実行させる命令を記憶しているコンピュータ読取可能媒体であって、スケジューリング対象外許可は、移動端末が送信時間間隔内にアップリンクチャネルでスケジューリング対象外データを送信するために利用可能な最大量のリソースを指示するものであり、前記移動端末は、
スケジューリング対象外許可を複数のＨＡＲＱ処理の一部に制限し、前記一部のＨＡＲＱ処理をスケジューリング対象外ユーザデータを送信するためにアクティブにし、前記制限は、前記複数のＨＡＲＱ処理の残りのＨＡＲＱ処理をスケジューリング対象外ユーザデータの送信に対しては非アクティブにし、前記残りのＨＡＲＱ処理をスケジューリング対象外制御データの送信に対しては非アクティブにしないステップと、
アップリンク送信を待つスケジューリング対象外ユーザデータとスケジューリング対象外制御データとを、前記複数のＨＡＲＱ処理の一つを使用して次の送信時間間隔内にアップリンクチャネルで送信されるトランスポートチャネルのパケットデータユニットに多重化し、ここで、スケジューリング許可および該当するスケジューリング対象外許可に従って、次の送信時間間隔に使用されるべきＨＡＲＱ処理がスケジューリング対象外ユーザデータの送信にアクティブであるか否かを勘案しつつ、アップリンク送信を待つスケジューリング対象データとスケジューリング対象外ユーザデータとスケジューリング対象外制御データとが多重化されるステップと、
次の送信時間間隔におけるアップリンクチャネルでの送信に向けて、前記パケットデータユニットを次の送信時間間隔に使用されるべきＨＡＲＱ処理に供給するステップと、
により前記データ割当て処理を実行する、コンピュータ読取可能媒体。
【請求項１８】
移動端末のプロセッサにより実行されるとき、スケジューリング許可および少なくとも一つのスケジューリング対象外許可により定義されたリソース利用制限に従った、スケジューリング対象データとスケジューリング対象外ユーザデータとスケジューリング対象外制御データとについてのデータ割当て処理を当該移動端末に実行させる命令を記憶しているコンピュータ読取可能媒体であって、スケジューリング許可およびスケジューリング対象外許可は、無線通信システムにおいて移動端末が送信時間間隔内にアップリンクでスケジューリング対象データおよびスケジューリング対象外データをそれぞれ送信するために利用可能な最大量のリソースを指示するものであり、前記移動端末は、
スケジューリング対象外許可を複数のＨＡＲＱ処理の一部に対して有効であると定義し、前記一部のＨＡＲＱ処理は、スケジューリング対象外ユーザデータの送信にアクティブにされ、前記スケジューリング対象外許可が無効である残りのＨＡＲＱ処理はスケジューリング対象外ユーザデータの送信には非アクティブにされるステップと、
次の送信時間間隔に向けて、アップリンク送信を待つスケジューリング対象データとスケジューリング対象外ユーザデータとスケジューリング対象外制御データとを、前記複数のＨＡＲＱ処理の一つを使用して次の送信時間間隔内にアップリンクチャネルで送信されるトランスポートチャネルのパケットデータユニットに多重化し、ここで、前記スケジューリング許可および前記該当するスケジューリング対象外許可に従って、次の送信時間間隔に使用されるべきＨＡＲＱ処理に対してスケジューリング対象外許可が有効と定義されたか無効と定義されたかを勘案しつつ、アップリンク送信を待つスケジューリング対象データとスケジューリング対象外ユーザデータとスケジューリング対象外制御データとが多重化されるステップと、
次の送信時間間隔にアップリンクチャネルでのＨＡＲＱ処理にパケットデータユニットを供給し、ここで、次の送信時間間隔に使用されるべきＨＡＲＱ処理は、スケジューリング対象外制御データの送信に常にアクティブにされるものと仮定されるステップと、
により前記データ割当て処理を実行する、コンピュータ読取可能媒体。
【請求項１９】
移動端末の無線リソースを制御する、移動通信システムの無線アクセスネットワーク中のネットワークエンティティから前記移動端末の少なくとも一つへ制御シグナリングを送信するための方法であって、前記方法は、前記ネットワークエンティティにより実行され、
スケジューリング対象外許可に従って、前記移動端末の一つからスケジューリング対象外ユーザデータおよびスケジューリング対象外制御データを受信するために使用される複数のＨＡＲＱ処理の一部を選択し、ここで、前記選択された一部のＨＡＲＱ処理は、前記一つの移動端末から当該無線アクセスネットワークへアップリンクチャネルを介するスケジューリング対象外制御データの送信に使用されるべきものであるステップと、
当該無線アクセスネットワークへのスケジューリング対象外制御データの送信にアクティブにされるべき前記一部のＨＡＲＱ処理を示す制御シグナリング情報を生成するステップと、
前記制御シグナリング情報を前記一つの移動端末へ送信するステップと、
を有する方法。
【請求項２０】
前記制御シグナリング情報は、前記アップリンクチャネルをセットアップまたは再設定する、前記一つの移動端末に送信されるシグナリングメッセージの情報要素内に含まれる、請求項１９に記載の方法。
【請求項２１】
前記シグナリング情報はビットの列を含んでなり、ビットの前記列中のビット数は使用可能なＨＡＲＱ処理の数に等しく、前記列中の前記ビットの各々一つの論理値は対応するＨＡＲＱ処理がアップリンクチャネルでのスケジューリング対象外制御データの送信にアクティブにされるか非アクティブにされるかを前記一つの移動端末に示す、請求項１９または請求項２０に記載の方法。
【請求項２２】
移動端末の無線リソースを制御する、移動通信システムの無線アクセスネットワーク中のネットワークエンティティであって、
スケジューリング許可および少なくとも一つのスケジューリング対象外許可に従って、前記移動端末の一つからスケジューリング対象外ユーザデータおよびスケジューリング対象外制御データを受信するために使用される複数のＨＡＲＱ処理の一部を選択し、ここで、前記選択された一部のＨＡＲＱ処理は、前記一つの移動端末から当該無線アクセスネットワークへアップリンクチャネルを介するスケジューリング対象外制御データの送信に使用されるべきものであり、当該無線アクセスネットワークへのスケジューリング対象外制御データの送信にアクティブにされるべき前記一部のＨＡＲＱ処理を示す制御シグナリング情報を生成する処理手段と、
前記制御シグナリング情報を前記一つの移動端末へ送信する送信器と、
前記一つの移動端末からスケジューリング対象外制御データを受信する受信器と、
を有する、ネットワークエンティティ。
【請求項２３】
移動端末の無線リソースを制御する、移動通信システム中の無線アクセスネットワークのネットワークエンティティのプロセッサにより実行されるとき、当該ネットワークエンティティに、
スケジューリング許可および少なくとも一つのスケジューリング対象外許可に従って、前記移動端末の一つからスケジューリング対象外ユーザデータおよびスケジューリング対象外制御データを受信するために使用される複数のＨＡＲＱ処理の一部を選択し、ここで、前記選択された一部のＨＡＲＱ処理は、前記一つの移動端末から当該無線アクセスネットワークへアップリンクチャネルを介するスケジューリング対象外制御データの送信に使用されるべきものであるステップと、
当該無線アクセスネットワークへのスケジューリング対象外制御データの送信にアクティブにされるべき前記一部のＨＡＲＱ処理を示す制御シグナリング情報を生成するステップと、
前記制御シグナリング情報を前記一つの移動端末へ送信するステップと、
により前記ネットワークエンティティから前記移動端末の少なくとも一つへ制御シグナリングを送信させる、命令を記憶しているコンピュータ読取可能媒体。
【発明の詳細な説明】
【技術分野】
【０００１】
本発明は、スケジューリング許可（scheduling grant）と少なくとも一つのスケジューリング対象外許可（non-scheduled grant）とによって定義されたリソース利用についての制限に従った、スケジューリング対象外（scheduled）データとスケジューリング対象外（non-scheduled）ユーザデータとスケジューリング対象外制御データとのデータ割当て処理を実行するための方法および移動端末に関連する。さらに、本発明は、移動端末の無線リソースを制御する、移動通信システムの無線アクセスネットワーク中のネットワークエンティティから前記移動端末の少なくとも一つに制御シグナリングを送信するための方法、および無線アクセスネットワーク中の上記ネットワークエンティティに関連する。
【背景技術】
【０００２】
Ｗ−ＣＤＭＡ（広帯域符号分割多元接続）は、第三世代無線移動通信システムとしての利用に向けて標準化されたＩＭＴ−２０００（International Mobile Communication）の無線インタフェースである。Ｗ−ＣＤＭＡは、音声サービスやマルチメディア移動通信サービスなど多様なサービスを柔軟で効率的な方法で提供する。日本、欧州、米国、その他の国々の標準化機関は、Ｗ−ＣＤＭＡについての共通無線インタフェース仕様を作成するために、合同で第三世代パートナーシッププロジェクト（３ＧＰＰ）というプロジェクトを組織した。
【０００３】
ＩＭＴ−２０００の標準化された欧州バージョンは、一般に、ＵＭＴＳ（ユニバーサル移動通信システム）と呼ばれる。ＵＭＴＳの仕様の最初のリリースは、１９９９年に公表された（リリース９９）。その後、リリース４、リリース５と標準の改良が幾度か３ＧＰＰにより標準化されてきて、さらなる改良の検討がリリース６の範疇で現在行われている。
【０００４】
ダウンリンクおよびアップリンクの個別チャネル（ＤＣＨ）ならびにダウンリンク共有チャネル（ＤＳＣＨ）は、リリース９９およびリリース４において定義されている。その後の数年のうちに、マルチメディアサービス、またはデータサービス全般を提供するためには、高速非対称アクセスを実現しなければならないことを開発者は認識した。リリース５において、高速ダウンリンクパケットアクセス（ＨＳＤＰＡ）が導入された。この新しい高速ダウンリンク共有チャネル（ＨＳ−ＤＳＣＨ）は、ＵＭＴＳ無線アクセスネットワーク（ＲＡＮ）からＵＭＴＳ仕様ではユーザ装置と呼ばれる通信端末へのダウンリンク高速アクセスをユーザに提供する。
【０００５】
ＵＭＴＳ構成
ユニバーサル移動通信システム（ＵＭＴＳ）の高レベルＲ９９／４／５構成を図１に示す（http://www.3gpp.orgから得られる非特許文献１を参照）。ネットワーク要素は、機能的に、コアネットワーク（ＣＮ）１０１、ＵＭＴＳ地上無線アクセスネットワーク（ＵＴＲＡＮ）１０２およびユーザ装置（ＵＥ）１０３にグループ分けされる。ＵＴＲＡＮ１０２は無線通信に関連するすべての機能を処理することを担い、ＣＮ１０１は呼およびデータ接続の外部ネットワークへのルーティングを担当する。これらのネットワーク要素間の接続は、オープンインタフェース（Ｉｕ、Ｕｕ）により形成される。ＵＭＴＳシステムはモジュール形式であるので、同一タイプのネットワーク要素をいくつも持つことが可能なことに留意すべきである。
【０００６】
続いて、二つの異なる構成について議論する。ネットワーク要素間での機能の論理的配置という観点でこれらの構成は定義される。実際のネットワーク展開では、各構成は異なる物理的実現形態をとり得る。つまり、２個以上のネットワーク要素が単一の物理的ノードに統合され得る。
【０００７】
図２はＵＴＲＡＮの現行の構成を示す。複数の無線ネットワークコントローラ（ＲＮＣ）２０１、２０２がＣＮ１０１に接続される。各ＲＮＣ２０１、２０２は、ＵＥと通信する一つまたは数個の基地局（ノードＢ：Node B）２０３、２０４、２０５、２０６を制御する。数個の基地局を制御するＲＮＣは、これらの基地局にとってのコントローリングＲＮＣ（Ｃ−ＲＮＣ）と呼ばれる。制御下の一組の基地局およびそれらに随伴し制御するＣ−ＲＮＣは、無線ネットワークサブシステム（ＲＮＳ）２０７、２０８と呼ばれる。ユーザ装置とＵＴＲＡＮと間の各接続につき一つのＲＮＳがサービングＲＮＳ（Ｓ−ＲＮＳ）となる。Ｓ−ＲＮＳは、コアネットワーク（ＣＮ）１０１とのいわゆるＩｕ接続を維持する。
【０００８】
拡張アップリンク個別チャネル（Ｅ−ＤＣＨ）
個別トランスポートチャネル（ＤＴＣＨ）のアップリンク拡張が、３ＧＰＰ技術仕様グループＲＡＮによって研究された（http://www.3gpp.orgにて得られる非特許文献２を参照）。ＩＰベースのサービスの利用がより重要になってきているため、ＲＡＮの受信可能範囲（coverage）およびスループットの向上ならびにアップリンク個別トランスポートチャネルの遅延減少への要望が高まっている。ストリーミング、双方向および背景のいずれのサービスも、拡張アップリンクにより便益を得られるであろう。
【０００９】
一つの拡張は、ノードＢ制御スケジューリング（Node B controlled scheduling）に関連して適応変調符号化方式（ＡＭＣ）を使用すること、それによるＵｕインタフェースの拡張である。既存のＲ９９／Ｒ４／Ｒ５のシステムでは、アップリンクの最大データレート制御はＲＮＣに備えられる。スケジューラをノードＢに移すことにより、ＲＮＣとノードＢとの間のインタフェースを介するシグナリングにより生じる遅延時間を削減でき、その結果、スケジューラはアップリンク負荷の経時変化に、より速く対応できる。これは、ユーザ装置のＲＡＮとの通信における全遅延時間を減少させることができる。したがって、ノードＢ制御スケジューリングは、アップリンク負荷の減少時にはより高いデータレートを迅速に割り当て、アップリンク負荷の増加時にはアップリンクデータレートを制限することにより、アップリンクの干渉をよりよく制御し、ノイズ上昇の変動を平滑化することができる。アップリンクの干渉のよりよい制御によって、受信可能範囲およびセルスループットを向上させることができる。
【００１０】
アップリンク上の遅延を削減するものと考えられる別の技法は、その他のトランスポートチャネルに比較してＥ−ＤＣＨに対してはより短いＴＴＩ（送信時間間隔）長を導入することである。１０ｍｓの送信時間間隔がその他のトランスポートチャネルで通常に使用されるのに対して、２ｍｓの送信時間間隔長がＥ−ＤＣＨ上での使用に向けて現在調査されている。ＨＳＤＰＡにおける重要な技術の一つであったハイブリッドＡＲＱについても、拡張アップリンク個別チャネルへの適用が検討されている。ノードＢとユーザ装置との間のハイブリッドＡＲＱプロトコルは、誤りのある受信データユニットの迅速な再送を可能にし、その結果、ＲＬＣ（無線リンク制御）の再送回数およびそれに伴う遅延を削減することができる。これは、エンドユーザが感じるサービス品質を向上させることができる。
【００１１】
上記の拡張をサポートするために、以下ではＭＡＣ−ｅと呼ぶ新しいＭＡＣサブレイヤが導入される（非特許文献３を参照）。以下の節でさらに詳細に説明するが、この新しいサブレイヤのエンティティはユーザ装置とノードＢとに設置され得る。ユーザ装置側では、ＭＡＣ−ｅは、上位レイヤデータ（例えば、ＭＡＣ−ｄ）を新規の拡張トランスポートチャネルに多重化し、ＨＡＲＱプロトコル送信エンティティを動作させるという新しいタスクを実行する。
【００１２】
さらに、ＵＴＲＡＮ側では、ハンドオーバ中にＭＡＣ−ｅサブレイヤをＳ−ＲＮＣにおいて終端することができる。そのため、Ｓ−ＲＮＣには、提供された並べ替え機能のための並べ替えバッファも備わり得る。
【００１３】
Ｅ−ＤＣＨ  ＭＡＣ構成  −  ＵＥ側
図３は、ＵＥ側のＥ−ＤＣＨ  ＭＡＣの全体的な構成の典型的な例を示す。新たなＭＡＣ機能エンティティであるＭＡＣ−ｅ／ｅｓが、リリース９９のＭＡＣ構成に追加される。
【００１４】
ＵＥ側でのＭＡＣ相互動作を図４に例示する。ＵＥからノードＢへ送信されるべき、異なるアプリケーションからのデータパケットを搬送するＭ個の異なるデータフロー（ＭＡＣ−ｄ）が存在する。これらのデータフローは、異なるＱｏＳ要件（例えば、遅延や誤りについての要件）を有することができ、かつＨＡＲＱインスタンスの異なる設定を必要とすることもある。各ＭＡＣ−ｄフローは、特定の物理チャネル（例えば、利得係数）およびＨＡＲＱ（例えば、最大再送回数）の属性が指定され得る論理的単位に相当する。
【００１５】
さらに、ＭＡＣ−ｄ多重化がＥ−ＤＣＨ向けにサポートされる。すなわち、それぞれ異なる優先度をもつ数個の論理チャネルを同一のＭＡＣ−ｄフロー上に多重化することができる。複数のＭＡＣ−ｄフローのデータを一つのＭＡＣ−ｅ  ＰＤＵ（プロトコルデータユニット）に多重化することができる。ＭＡＣ−ｅヘッダ中のＤＤＩ（データ記述インジケータ）フィールドが、論理チャネル、ＭＡＣ−ｄフローおよびＭＡＣ−ｄ  ＰＤＵサイズを特定する。ＵＥがＤＤＩの値を設定できるようにするため、マッピングテーブルがＲＲＣを介してシグナリングされる。Ｎフィールドは、同一ＤＤＩ値に対応する連続するＭＡＣ−ｄ  ＰＤＵの個数を示す。
【００１６】
ＭＡＣ−ｅ／ｅｓエンティティを図５にさらに詳細に描く。ＭＡＣ−ｅｓ／ｅは、Ｅ−ＤＣＨ特有の機能を扱う。Ｅ−ＤＣＨでのデータの送信に適切なトランスポートフォーマットの選択が、機能エンティティを表すＥ−ＴＦＣ選択エンティティにおいて行われる。トランスポートフォーマットの選択は、Ｌ１を介してＵＴＲＡＮから受信されたスケジューリング情報（相対的許可（Relative Grant）および絶対的許可（Absolute Grant））、利用可能な送信電力、優先度、例えば、論理チャネル優先度に従って行われる。ＨＡＲＱエンティティは、ユーザのための再送機能を扱う。一つのＨＡＲＱエンティティが、複数のＨＡＲＱ処理をサポートする。ＨＡＲＱエンティティは、ＨＡＲＱに関連するすべての必要な機能を扱う。多重化エンティティは、複数のＭＡＣ−ｄ  ＰＤＵをＭＡＣ−ｅｓ  ＰＤＵに連結し、さらに一つまたは複数のＭＡＣ−ｅｓ  ＰＤＵを、Ｅ−ＴＦＣ選択機能による指示に従い次のＴＴＩに送信されるべき単一のＭＡＣ−ｅ  ＰＤＵに連結する役目を担う。多重化エンティティはまた、各ＭＡＣ−ｅｓ  ＰＤＵについて論理チャネルごとにＴＳＮを管理し設定する役目も担う。ＭＡＣ−ｅ／ｅｓエンティティは、図５に示すように、ノードＢ（ネットワーク側）からスケジューリング情報をレイヤ１シグナリングを介して受信する。絶対的許可はＥ−ＡＧＣＨ（Enhanced Absolute Grant Channel：拡張絶対的許可チャネル）上で受信され、相対的許可はＥ−ＲＧＣＨ（Enhanced Relative Grant Channel：拡張相対的許可チャネル）上で受信される。
【００１７】
Ｅ−ＤＣＨ  ＭＡＣ構成  −  ＵＴＲＡＮ側
ＵＴＲＡＮのＭＡＣの全体的構成の典型的な例を図６に示す。ＵＴＲＡＮのＭＡＣ構成は、ＭＡＣ−ｅエンティティおよびＭＡＣ−ｅｓエンティティを含む。Ｅ−ＤＣＨを使用する各ＵＥに対して、ノードＢごとに一つのＭＡＣ−ｅエンティティとＳ−ＲＮＣ内に一つのＭＡＣ−ｅｓエンティティが設定される。ＭＡＣ−ｅエンティティは、ノードＢに設置され、Ｅ−ＤＣＨへのアクセスを制御する。さらに、ＭＡＣ−ｅエンティティは、Ｓ−ＲＮＣに設置されたＭＡＣ−ｅｓに接続される。
【００１８】
図７に、ノードＢにおけるＭＡＣ−ｅエンティティをさらに詳細に描く。各ＵＥに対してノードＢには一つのＭＡＣ−ｅエンティティがあり、すべてのＵＥに対してノードＢには一つのＥ−ＤＣＨスケジューラがある。ＭＡＣ−ｅエンティティおよびＥ−ＤＣＨスケジューラは、ノードＢにおけるＨＳＵＰＡ（高速アップリンクパケットアクセス）特有の機能を扱う。Ｅ−ＤＣＨスケジューリングエンティティは、ＵＥ間のセルリソースを管理する。通常、スケジューリング割当ては、ＵＥからのスケジューリング要求に基づき、決定され、送信される。ＭＡＣ−ｅエンティティ内の逆多重化エンティティは、ＭＡＣ−ｅ  ＰＤＵの逆多重化、すなわち分離を行う。ＭＡＣ−ｅｓ  ＰＤＵは、その後、Ｓ−ＲＮＣにあるＭＡＣ−ｅｓエンティティに転送される。
【００１９】
一つのＨＡＲＱエンティティは、例えば、ストップアンドウエイトＨＡＲＱプロトコルを用いて、複数のインスタンス（ＨＡＲＱ処理）をサポートすることができる。各ＨＡＲＱ処理は、未解決の再送パケット中のビットを合成するための一定量のソフトバッファメモリを割り当てられる。さらに、各処理は、Ｅ−ＤＣＨでの送信の送達状態を示すＡＣＫまたはＮＡＣＫを生成する役目を担う。ＨＡＲＱエンティティは、ＨＡＲＱプロトコルで要求されるすべてのタスクを扱う。
【００２０】
図８にＳ−ＲＮＣにおけるＭＡＣ−ｅｓエンティティを示す。ＭＡＣ−ｅｓエンティティは、順序通りの転送（in-sequence delivery）をＲＬＣに提供し、ソフトハンドオーバ時に異なるノードＢからのデータの合成を扱う並べ替えバッファを含んでなる。この合成は、マクロダイバーシチ選択合成と呼ばれる。
【００２１】
必要なソフトバッファのサイズは、使用されるＨＡＲＱ方式に依存することに留意すべきである。例えば、増加冗長性（ＩＲ：Incremental Redundancy）を使用するＨＡＲＱ方式は、チェイス合成（ＣＣ：Chase Combining）を使用するものに比べてより大きいソフトバッファを必要とする。
【００２２】
ＭＡＣ−ｅ  ＰＤＵフォーマット
図１０および図１１に示すように、Ｅ−ＤＣＨ向けとして二つのＭＡＣサブレイヤ、すなわちＭＡＣ−ｅおよびＭＡＣ−ｅｓが存在する。ＭＡＣ−ｅｓレイヤは、ＭＡＣ−ｅレイヤの「上に載る」ものであり、ＵＥ側のＭＡＣ−ｄレイヤから直接ＰＤＵを受け取る。ある特定の論理チャネルにより与えられた同一サイズのＭＡＣ−ｅｓ  ＳＤＵ（すなわち、ＭＡＣ−ｄ  ＰＤＵ）を単一のＭＡＣ−ｅｓペイロードに多重化することができる（ＳＤＵ＝サービスデータユニット）。この多重化されたペイロードの前にはＭＡＣ−ｅｓヘッダが付く。ＭＡＣ−ｅｓヘッダは、フレーミングヘッダ（framing header）と呼ばれることもある。ＰＤＵ数、ならびに論理チャネル、ＭＡＣ−ｄフローおよびＭＡＣ−ｅ  ＳＤＵサイズを特定するＤＤＩ値がＭＡＣ−ｅヘッダの一部として含まれる。ＴＴＩ中に複数のＭＡＣ−ｅｓ  ＰＤＵが送信可能であるが、ＭＡＣ−ｅ  ＰＤＵは一つだけしか送信できない。
【００２３】
フィールドＤＤＩ（データ記述インジケータ）フィールドは、ＭＡＣ−ｅ  ＰＤＵに含まれた２個以上のＭＡＣ−ｅｓ  ＰＤＵがあるかどうかを示す特定のＤＤＩ値を含む。このヘッダは、新たなＭＡＣ−ｅｓペイロードには関連付けをもたない。
【００２４】
パケットスケジューリング 
パケットスケジューリングは、共有媒体への参入が許されたユーザに送信器会および送信フォーマットを割り当てるために使用される無線リソース管理アルゴリズムであると言える。スケジューリングは、例えば、望ましいチャネル状態にあるユーザに送信器会を割り当てることによりスループット／容量を最大にするために、適応変調符号化と合わせてパケットベースの移動無線ネットワークで利用することができる。ＵＭＴＳにおけるパケットデータサービスは、ストリーミングサービスに使用されることもあるが、双方向および背景のトラヒッククラスに適用され得る。双方向および背景のクラスに属するトラヒックは、非リアルタイム（ＮＲＴ）トラヒックとして扱われ、パケットスケジューラによって制御される。パケットスケジューリング方法は、下記により特徴づけることができる。
【００２５】
●  スケジューリング期間／頻度：ユーザが時間的に前もってスケジューリングされる期間
●  サービスの順番：ユーザがサービスを受ける順番、例えば、ランダムな順番（ラウンドロビン）、または、チャネル品質に応じる（Ｃ／Ｉまたはスループットベース）
●  割当て方法：リソース割当ての基準、例えば、割当て間隔ごとに、キューに入れられたすべてのユーザに同じデータ量または同じ電力／コード／時間リソースを割り当てる
【００２６】
３ＧＰＰ  ＵＭＴＳ  Ｒ９９／Ｒ４／Ｒ５では、アップリンク向けパケットスケジューラは、無線ネットワークコントローラ（ＲＮＣ）とユーザ装置（ＵＥ）との間に配置される。アップリンク上で、異なるユーザにより共有されるエアインタフェースリソースは、ノードＢにおける総受信電力であり、したがって、スケジューラの任務はユーザ装置間にこの電力を割り振ることである。現行のＵＭＴＳ  Ｒ９９／Ｒ４／Ｒ５仕様では、異なるトランスポートフォーマット（変調方式、符号レートなど）のセットを各ユーザ装置に割り当てることにより、ＲＮＣは、ユーザ装置がアップリンクで送信時に送信可能な最大レート／電力を制御する。
【００２７】
このようなＴＦＣＳ（トランスポートフォーマットコンビネーションセット）の確立および再設定は、ＲＮＣとユーザ装置との間の無線リソース制御（ＲＲＣ）メッセージ伝達により実現することができる。ユーザ装置は、自装置の状態、例えば使用可能な電力やバッファ状態に基づいて、割り当てられたトランスポートフォーマットコンビネーションの中から自発的に（autonomously）選択することが許される。現行のＵＭＴＳ  Ｒ９９／Ｒ４／Ｒ５仕様では、アップリンクでのユーザ装置の送信に課せられる時間制御はない。スケジューラは、例えば、送信時間間隔に基づいて動作することができる。
【００２８】
Ｅ−ＤＣＨ  −  ノードＢ制御スケジューリング
ノードＢ制御スケジューリングは、アップリンクでより高いセルスループットを得るためにアップリンクリソースのより効率的な利用を可能にし、かつ受信可能範囲を拡大させるであろうＥ−ＤＣＨ向けの技術的特長の一つである。「ノードＢ制御スケジューリング」という表現は、Ｓ−ＲＮＣにより定められた限度内で、ＵＥがＥ−ＤＣＨでのアップリンク送信に使用できるアップリンクリソース、例えば、Ｅ−ＤＰＤＣＨ／ＤＰＣＣＨ電力比をノードＢが制御する可能性を意味する。ノードＢ制御スケジューリングは、アップリンクおよびダウンリンクの制御シグナリングと、このシグナリングに対してＵＥがどのように動作すべきかについての規則のセットと、に基づく。
【００２９】
ダウンリンクでは、ＵＥが使用できるアップリンクリソース（最大）量をＵＥに通知するために、リソース表示（スケジューリング許可）が必須である。スケジューリング許可を発行する際に、要求されたＱｏＳパラメータでのＵＥへのサービス提供のためのリソースの適切な割当てを決定するために、Ｓ−ＲＮＣにより提供された、およびスケジューリング要求時にＵＥから提供されたＱｏＳ関連情報をノードＢは使用することができる。
【００３０】
ＵＭＴＳ  Ｅ−ＤＣＨには、通常、使用されるスケジューリング許可のタイプに応じて定義された二つの異なるＵＥスケジューリングモードがある。それぞれのスケジューリング許可の特徴を以下に説明する。
【００３１】
スケジューリング許可
スケジューリング許可は、ＵＥがアップリンク送信に使用できる（最大）リソースを通知するためにダウンリンクでシグナリングされる。許可は、Ｅ−ＤＣＨでの送信のための適切なトランスポートフォーマット（ＴＦ）の選択（Ｅ−ＴＦＣ選択）に影響を与える。しかし、許可は、個別チャネルでの従来技術のＴＦＣ選択（トランスポートフォーマットコンビネーション）には、普通、影響を及ぼさない。
【００３２】
一般に、ノードＢ制御スケジューリングに適用される二つのタイプのスケジューリング許可がある。
【００３３】
●  絶対的許可（ＡＧ）
●  相対的許可（ＲＧ）
【００３４】
絶対的許可は、ＵＥがアップリンク送信に使用することが許される最大量のアップリンクリソースの絶対的な限度を与える。絶対的許可は、割当てＵＬリソースを迅速に変更するのに特に適している。
【００３５】
相対的許可は、ＴＴＩ（送信時間間隔）ごとに送信される。これは、絶対的許可によって通知された割当てアップリンクリソースを微調整によって適合化するために使用され得る。相対的許可は、以前に許容された最大アップリンクリソースを一定のオフセット（ステップ）だけ増加または減少させるようにＵＥに指示する。
【００３６】
絶対的許可は、Ｅ−ＤＣＨサービングセルからのみシグナリングされる。相対的許可は、サービングセルからも非サービングセルからもシグナリングできる。Ｅ−ＤＣＨサービングセルは、当該サービングセルにより制御されたＵＥにアップリンクリソースを能動的に割り当てるエンティティ（例えばノードＢ）を意味する。一方、非サービングセルは、サービングセルによって設定された割当てアップリンクリソースを制限することだけしかできない。各ＵＥは、一つだけサービングセルをもつ。
【００３７】
絶対的許可は、一つのＵＥに対して有効であり得る。一つのＵＥに対して有効である絶対的許可は、以下では「個別許可」と言う。代替的に、絶対的許可が、あるセル内のＵＥのグループまたはすべてのＵＥに対して有効である場合もある。ＵＥのグループまたはすべてのＵＥに対して有効である絶対的許可は、以下では「共通許可」と言うことにする。ＵＥは、共通許可と個別許可との区別をしない。
【００３８】
相対的許可は、前述のように、サービングセルからも、非サービングセルからも送信可能である。サービングセルからシグナリングされた相対的許可は、「アップ」、「ホールド」、「ダウン」の三つの値のうちの一つを指示することができる。「アップ」および「ダウン」は、それまで使用していた最大アップリンクリソース（最大電力比）をそれぞれ１ステップだけ増加／減少することを指示することができる。非サービングセルからの相対的許可は、ＵＥに対して、「ホールド」または「ダウン」コマンドのどちらかをシグナリングすることができる。前述のように、非サービングセルからの相対的許可は、サービングセルによって設定されたアップリンクリソースを制限することはできるが（過負荷インジケータ）、ＵＥが使用可能なリソースを増加することはできない。
【００３９】
ＵＥスケジューリング動作
本節は、主要なスケジューリング動作を概説するにとどめる。スケジューリング手順に関するさらに詳細な事項は、非特許文献４に記載されている。
【００４０】
ＵＥは、Ｅ−ＴＦＣ選択のためにＵＥに許容されている最大電力比（Ｅ−ＤＰＤＣＨ／ＤＰＣＣＨ）を指示する、すべてのＨＡＲＱ処理に共通であるサービング許可（ＳＧ）を維持する。ＳＧは、サービング／非サービングセルからシグナリングされたスケジューリング許可によって更新される。ＵＥが絶対的許可をサービングセルから受信するときは、ＳＧは絶対的許可でシグナリングされた電力比に設定される。絶対的許可は、一つのまたはすべてのＨＡＲＱ処理をアクティブ／非アクティブにすることができる。前述のように、絶対的許可は一次または二次のＥ−ＲＮＴＩ上で受信可能である。一次／二次の絶対的許可の使用については優先規則がいくつかある。一次絶対的許可は、常にＳＧを即座に変更する。二次絶対的許可がＳＧを変更するのは、最後の一次絶対的許可がすべてのＨＡＲＱ処理を非アクティブにした場合、またはＳＧを変更した最後の絶対的許可が二次Ｅ−ＲＮＴＩにより受信された場合に限られる。すべてのＨＡＲＱ処理を非アクティブにすることにより、一次から二次Ｅ−ＲＮＴＩへの送信が開始される場合は、ＵＥは二次Ｅ−ＲＮＴＩ上で受信した最新の絶対的許可によってサービング許可を更新する。したがって、ＵＥは一次および二次の両方のＥ−ＲＮＴＩを傍受する必要がある。
【００４１】
サービングセルから絶対的許可を受信しないときには、ＵＥはＴＴＩごとにシグナリングされるサービングセルからの相対的許可に従うものとする。サービング相対的許可は、相対的許可が影響を及ぼす送信と同一のハイブリッドＡＲＱ処理に与えられた前ＴＴＩ中のＵＥの電力比に相対して解釈される。図９は、相対的許可に関するタイミング関係性を例示する。ここでは、４個のＨＡＲＱ処理があるものと仮定する。ＵＥが受信した、第一のＨＡＲＱ処理のＳＧに作用する相対的許可は、前ＴＴＩの第一のＨＡＲＱ処理（基準処理）に相対する。同期ＨＡＲＱプロトコルがＥ−ＤＣＨ向けに採用されているので、異なるＨＡＲＱ処理は継続的にサービスを受ける。
【００４２】
サービングＥ−ＤＣＨ相対的許可に応じたＵＥの挙動を以下に示す。
【００４３】
●  サービングＥ−ＤＣＨ  ＲＬＳからＵＥが「アップ」コマンドを受信するとき
●  新ＳＧ＝最後に使用した電力比＋デルタ
●  サービングＥ−ＤＣＨ  ＲＬＳからＵＥが「ダウン」コマンドを受信するとき
●  新ＳＧ＝最後に使用した電力比−デルタ
【００４４】
「アップ」および「ダウン」コマンドは、基準ＨＡＲＱ処理でのＥ−ＤＣＨ送信に使用した電力比に相対する。相対的許可に作用された、すべてのＨＡＲＱ処理についての新たなサービング許可（ＳＧ）は、基準ＨＡＲＱ処理で最後に使用した電力比のそれぞれ増加および減少である。「ホールド」コマンドは、ＳＧが変わらないことを示す。
【００４５】
前述したように、非サービングＲＬＳのノードＢは、「ホールド」または「ダウン」のいずれかを指示し得る相対的許可のみの送信が許される。「ダウン」コマンドは、非サービングセルが、当該非サービングセルとのＳＨＯ中であるＵＥにより引き起こされるセル間干渉を制限できるようにする。非サービング相対的許可の受信時のＵＥの挙動は以下の通りである。
【００４６】
●  少なくとも一つの非サービングＥ−ＤＣＨ  ＲＬＳからＵＥが「ダウン」を受信するとき
●  新ＳＧ＝最後に使用した電力比−デルタ
【００４７】
非サービングＲＬＳからの相対的許可は、ＵＥ上のすべてのＨＡＲＱ処理に常に影響を与える。使用電力比からの減少量は、固定的なこともあるし、あるいはビットレートに依存することもある。ビットレートが高いほど、ステップサイズ（デルタ）が大きくなるであろう。
【００４８】
●  ＵＥがサービングＲＬＳからスケジューリング許可を受信し、かつ少なくとも一つの非サービングＲＬから「ダウン」コマンドを受信するとき
●  新ＳＧ＝最小値（最後に使用した電力比−デルタ、サービングＲＬＳからの受信ＡＧ／ＲＧ）
【００４９】
レート要求シグナリング
Ｅ−ＤＣＨ上にマッピングされるサービスのＱｏＳ要件も考慮しながらノードＢが効率的にスケジューリングすることを可能にするため、ＵＥはレート要求シグナリングによってＱｏＳ要件の情報をノードＢに提供する。
【００５０】
アップリンクでのレート要求シグナリング情報には二つの種類がある。Ｅ−ＤＰＣＣＨでのレート要求に関連するフラグである、いわゆる「ハッピービット」、およびＥ−ＤＣＨ上の帯域内で通常送信されるスケジューリング情報（ＳＩ）である。
【００５１】
システムの観点からは、例えば、相対的許可によってリソース割当てに若干の調整を加えるには、１ビットのレート要求がサービングセルによって有利に利用され得る。逆に、絶対的許可の送信によって示される比較的長期のスケジューリング決定をなすためには、スケジューリング情報が有利に使用され得る。二つのレート要求シグナリング方法についての詳細を以下に記載する。
【００５２】
Ｅ−ＤＣＨで送信されるスケジューリング情報
前述したように、スケジューリング情報は、効果的なスケジューリングを可能にするために、ＵＥの状態に関する情報をノードＢに提供することができる。スケジューリング情報は、ＭＡＣ−ｅ  ＰＤＵのヘッダに含まれ得る。この情報は、ＵＥの状態を追跡するために、通常、定期的にノードＢに送られる。例えば、スケジューリング情報は下記の情報フィールドを含んでなる。
【００５３】
●  スケジューリング情報において最も優先度の高いデータの論理チャネルＩＤ
●  ＵＥのバッファ占有度（バイト単位）
●  バッファ中のデータを有する優先度の最も高い論理チャネル用のバッファ状態
●  全体のバッファ状態
●  電力状態の情報
●  ＤＰＤＣＨ（ＨＳ−ＤＰＣＣＨを勘案する）に対する使用可能な電力比の評価：この評価を行う際にＵＥはＤＣＨの電力を考慮に入れない
【００５４】
最も優先度の高いデータがそこから発生する論理チャネルを論理チャネルＩＤで特定することは、ノードＢにこの特定の論理チャネルのＱｏＳ要件、例えば、対応するＭＡＣ−ｄフローの電力オフセット、論理チャネルの優先度またはＧＢＲ（保証されたビットレート）の属性を決定可能にする。これは、次には、ＵＥのバッファにあるデータを送信するために必要な次のスケジューリング許可メッセージをノードＢに決定可能にし、しかもより緻密な許可割当てを可能にする。最も優先度の高いバッファ状態に加えて、全体のバッファ状態についての何らかの情報を得ることはノードＢにとって有益となろう。この情報は、「長期の」リソース割当ての決定に役立ち得る。
【００５５】
サービングノードＢがアップリンクリソースを効率的に割り当てることを実施できるためには、ノードＢは各ＵＥがどれだけの電力まで送信できるかを知る必要がある。この情報は、ＵＥがどれだけの量の電力を残しているか示し、それに加えて、ＤＰＣＣＨ送信に使用される電力量をも示す「電力ヘッドルーム」測定値の形式で伝達可能である（電力状態）。電力状態報告は、例えば、２ｍｓおよび１０ｍｓのＴＴＩを相互に切り換えるＴＴＩ再設定にも使用できる。
【００５６】
ハッピービット
先に説明したように、ハッピービットは、Ｅ−ＤＰＣＣＨで送信される１ビットのレート要求に関連するフラグである。「ハッピービット」は、各ＵＥが現在のサービング許可（ＳＧ）に「満足である」か、または「不満である」かを示す。
【００５７】
下記の判定基準の両方が満たされる場合、ＵＥは「不満である」であることを通知する。
【００５８】
●  電力状態の判定基準：現在より高いデータレート（Ｅ−ＴＦＣ）での送信に使用可能な電力をＵＥが有する
●  バッファ占有度の判定基準：現在の許可を使用すると、全体のバッファ状態がｎ個を超えるＴＴＩを必要とする（ｎは設定可能）
【００５９】
これらに該当しない場合には、ＵＥは現在のサービング許可に「満足である」ことを通知する。
【００６０】
スケジューリング対象データおよびスケジューリング対象外データの送信
一般的なＵＭＴＳシステムでは、拡張アップリンク（Ｅ−ＤＣＨを利用する）でのデータ送信には、スケジューリング対象データ送信およびスケジューリング対象外データ送信の二つのカテゴリー（またはタイプ）がある。
【００６１】
スケジューリング対象データ送信の場合、ＵＥはＥ−ＤＣＨでデータを送信する前に、有効なスケジューリング許可を必要とする。通常の手順は、スケジューリング情報またはハッピービットのいずれかを用いて、ＵＥがレート要求をサービングノードＢに送信することである。レート要求を受信すると、サービングノードＢはスケジューリング許可、すなわち、絶対的許可および相対的許可によって、アップリンクリソースをＵＥに割り当てる。
【００６２】
スケジューリング対象外データ送信の場合は、ノードＢからいずれのスケジューリングコマンドも受信することなく、ＵＥは設定されたビット数までのＥ−ＤＣＨデータ送信をいつでも行うことが許される。したがって、シグナリングオーバヘッドとシグナリング遅延は最小になり得る。スケジューリング対象外データ送信のためのリソースは、ＴＴＩ間隔内に送信されるＭＡＣ−ｅ  ＰＤＵにＵＥが含めることができる最大ビット数として、ＲＲＣエンティティ（通常、Ｓ−ＲＮＣ）によって与えられる。これはスケジューリング対象外許可と呼ばれる。スケジューリング対象外許可は、ＭＡＣ−ｄフローごとに定義され得る。したがって、スケジューリング対象外ＭＡＣ−ｄフローにマッピングされる論理チャネルは、各ＭＡＣ−ｄフローに対して設定されるスケジューリング対象外許可までの送信のみ可能となる。ある特定のＵＥにサービスしている複数のノードＢが、スケジューリング対象外データの送信によりＵＥから結果的に生じる可能性のある全受信干渉電力（ＲｏＴ：Rise over Thermal）を勘案できるようにするためには、ＵＥに割り当てるスケジューリング対象外許可をＵＴＲＡＮからＮＢＡＰシグナリング（ノードＢアプリケーション部シグナリング）を介して上記ノードＢに通知する。スケジューリング対象外データフローおよびスケジューリング対象データフローの処理を規定する、次のような規則のセットがある。
【００６３】
●  ２ｍｓのＴＴＩの場合は、ＵＴＲＡＮは、スケジューリング対象外ＭＡＣ−ｄフローが限定された数だけのＨＡＲＱ処理を使用するように制限してよい（いわゆる、ＨＡＲＱ処理制限）。スケジューリング対象外許可のために、ノードＢは常に設定されたリソース、すなわち、最大ビット数をそのスケジューリング決定において確保しなければならない。
【００６４】
２ｍｓのＴＴＩの場合には特にかなり大きくなる可能性があるリソース量、ノードＢがスケジューリング対象外送信に恒久的に確保しなければならないリソース量を制限するために、ＵＴＲＡＮ（通常、Ｓ−ＲＮＣ）はスケジューリング対象外ＭＡＣ−ｄフローに使用されるある程度の数のＨＡＲＱ処理を無効化することができる。ＨＡＲＱ処理のスケジューリング対象外ＭＡＣ−ｄフローへの割当ては、ＲＲＣシグナリングを介して設定される。
【００６５】
●  ２ｍｓのＴＴＩの場合、ＵＴＲＡＮは、若干数のＨＡＲＱ処理をスケジューリング対象外送信用に確保してもよい（すなわち、スケジューリング対象データは、これらの処理を使用して送信できない、処理は無効であるとされる）。
【００６６】
●  複数のスケジューリング対象外ＭＡＣ−ｄフローがＳ−ＲＮＣによって並列に設定されてもよく、使用可能なＨＡＲＱ処理の一つを使用する送信用の単一のトランスポートチャネルに多重化することができる。この場合、数個のＭＡＣ−ｄフローがＴＴＩに多重化される場合、ＵＥは、対応するスケジューリング対象外許可によって指示されたビット数の合計までのスケジューリング対象外データを送信することが許される。
【００６７】
●  スケジューリング対象許可は、スケジューリング対象外送信よりも優位にたつものとされる。
【００６８】
●  スケジューリング対象外ＭＡＣ−ｄフロー上にマッピングされた各論理チャネルは、有効なスケジューリング許可を使用してデータを送信できない。
【００６９】
上記の規則からわかるように、ＵＴＲＡＮ側からのリソース割当ては、スケジューリング対象許可およびスケジューリング対象外許可の、ＵＥへの割当てによって分けられる。ＵＥ内でも、論理チャネルへのリソースの割当ては、スケジューリング対象許可およびスケジューリング対象外許可に応じて行われる。各論理チャネルは、スケジューリング対象外許可およびスケジューリング対象許可が尽きるまで、または最大送信電力に達するまで、それぞれの優先度に応じてサービスされる。
【００７０】
トランスポートチャネルおよびＴＦＣ選択
第三世代移動通信システムでは、上位レイヤで生成されたデータは、物理レイヤの異なる物理チャネルにそれぞれ対応付けられる複数のトランスポートチャネルを有する電波によって搬送される。トランスポートチャネルは、物理レイヤによって伝送媒体アクセス制御（ＭＡＣ）レイヤに提供される情報転送のためのサービスである。トランスポートチャネルは、主に二つのタイプに分けられる。
【００７１】
●  第一は、受信ＵＥの明示的な識別を必要とする共通トランスポートチャネル。このタイプのトランスポートチャネルは、例えば、トランスポートチャネルのデータが特定のＵＥまたはすべてのＵＥの一部に向けられる場合に使用され得る（ブロードキャストトランスポートチャネルではＵＥを識別する必要はない）
●  第二は、個別トランスポートチャネル、ここでは受信ＵＥはトランスポートチャネルを伝送する物理チャネルによって暗黙に識別される
【００７２】
Ｅ−ＤＣＨは個別トランスポートチャネルである。データはトランスポートブロックとしてトランスポートチャネルを介して送信される、ここで送信時間間隔（ＴＴＩ）と呼ばれる一定の時間間隔に送信される一つのトランスポートブロックがある。トランスポートブロックは、トランスポートチャネルを介して交換される、すなわち、物理レイヤとＭＡＣレイヤとの間で交換される基本的データユニットである。トランスポートブロックは、各ＴＴＩ当り一度の周期で、物理レイヤへ到着する、あるいは物理レイヤにより送り出される。Ｅ−ＤＣＨを介する送信の場合、トランスポートブロックはＭＡＣ−ｅ  ＰＤＵに相当する。
【００７３】
拡張トランスポートフォーマットコンビネーション（Ｅ−ＴＦＣ）の制限／選択は、送信時間間隔（ＴＴＩ）内に送信するデータの量をＵＥが選択する手順である。Ｅ−ＴＦＣ選択処理の目的は、ＵＥが使用可能な送信電力でできるだけ多くのデータを送信することである。Ｅ−ＴＦＣ制限処理は、ＤＣＨチャネルおよびＨＳ−ＤＰＣＣＨ上でのデータの送信後、Ｅ−ＤＣＨ送信に残された送信電力の量を考慮し、電力制限により送信フォーマットを削除する。前述のように、Ｅ−ＤＣＨ上でのデータの送信に適切なトランスポートフォーマットの選択に関与するＥ−ＴＦＣ選択手順は、ＭＡＣ−ｅ／ｅｓ内のＨＡＲＱエンティティによって呼び出される。Ｅ−ＴＦＣ制限手順は、非特許文献５により詳しく記述されている。
【００７４】
トランスポートチャネルに多重化された各ＭＡＣ−ｄフローに対して、無線リソース制御ＲＲＣは、ＨＡＲＱプロファイルと多重化リストを有するＭＡＣレイヤを設定する。ＨＡＲＱプロファイルは、それぞれのＭＡＣ−ｄフロー別の電力オフセットと使用する最大ＨＡＲＱ送信回数を含む。多重化リストは、各ＭＡＣ−ｄフローにとってのその他のＭＡＣ−ｄフローを識別する。その他のＭＡＣ−ｄフローからのデータがそのＨＡＲＱプロファイルに含まれた電力オフセットを使用する送信に多重化される。
【００７５】
ＲＲＣは、各論理チャネルに優先度（例えば１から８まで、１が最高の優先度で８が最低）を与えることにより、アップリンク上のデータのスケジューリングを制御することができる。ＵＥにおけるＥ−ＴＦＣ選択は、通常、ＲＲＣによって指示された優先度に従って行われる。論理チャネルは、絶対的な優先度を持つ。すなわち、ＵＥはより高い優先度のデータの送信を最大化できる。
【００７６】
ＲＲＣはさらに、送信遅延を少なくするために、スケジューリング対象外送信許可を個々のＭＡＣ−ｄフローに割り当てることができる。各スケジューリング対象外許可は、前述したように、ＲＲＣによって指示された特定のＨＡＲＱ処理セットに適用できる。ＲＲＣはまた、スケジューリング対象許可が適用可能なＨＡＲＱ処理セットを制限する。設定されたＭＡＣ−ｄフローごとに、任意のＥ−ＴＦＣは次の状態のうちのどちらかになる。
【００７７】
●  サポートされた状態
●  ブロックされた状態
【００７８】
各ＴＴＩ境界において、設定されたＥ−ＤＣＨトランスポートチャネルをもつＵＥは、設定された各ＭＡＣ−ｄフローごとにそれぞれのＥ−ＴＦＣの状態を、最大ＵＥ送信に対するそのフローの必要送信電力に基づいて決定することができる。
【００７９】
さらに、ＨＡＲＱエンティティによって新しい送信が要求されている各ＴＴＩ境界においては、すなわち、Ｅ−ＴＦＣの選択を行わない再送の場合には、ＵＥは以下に述べる動作を行うことができる。ＵＭＴＳにおけるＥ−ＤＣＨでは、スケジューリング許可は、スケジューリング対象データの次の送信時間間隔にＵＥが割り当てることができるＤＰＣＣＨに対するＥ−ＤＰＤＣＨの最大比をＥ−ＴＦＣ選択機能に提供する。ＨＡＲＱ処理ＩＤとＲＲＣによる設定とに基づいて、ＵＥは次の送信時間間隔での送信にスケジューリング対象許可、スケジューリング対象外許可を勘案すべきかどうかを決定する。例えば、次の送信時間間隔に使用されるＨＡＲＱ処理ＩＤに対してスケジューリング対象外許可が無効である（非アクティブ）であるならば、このスケジューリング対象外許可は存在していない、すなわちゼロに設定されているとされる。
【００８０】
Ｅ−ＴＦＣ選択中に行われる送信フォーマットおよびデータの割当て処理は、とりわけ以下に示す要件に従うことができる。
【００８１】
●  非ゼロの許可が有効である論理チャネルからのデータのみを使用可能とみなせる
●  データ割当ては、より高い優先度のデータの送信を最大化する
●  スケジューリング対象外許可が設定されたＭＡＣ−ｄフロー中のデータの量は、スケジューリング対象外許可の値を超えてはならない
●  スケジューリング対象外許可が設定されていないＭＡＣ−ｄフロー中のデータの総量は、スケジューリング許可および選択されたＨＡＲＱプロファイルからの電力オフセットに基づき送信可能な最大ペイロードを超えない。ＨＡＲＱ処理が非アクティブの場合には、ＵＥは上記のデータを全く送信に含めない
●  サポートされた状態のＥ−ＴＦＣのみを考慮する
【００８２】
適切なＥ−ＴＦＣおよびデータ割当ての確定後、「多重化およびＴＳＮ設定」エンティティが、送信に適用されるＨＡＲＱ処理ＩＤにより特定されたＨＡＲＱ処理に渡されるＭＡＣ−ｅ  ＰＤＵを生成する。
【００８３】
Ｅ−ＴＦＣ選択機能が、このＭＡＣ−ｅ  ＰＤＵおよび送信ＨＡＲＱプロファイルをＨＡＲＱエンティティに供給する。ＨＡＲＱエンティティは、送信がスケジューリング情報を含むかどうかも通知されるものとする。
【００８４】
要約すれば、３ＧＰＰで現在検討されているＵＭＴＳシステムにおいて、Ｅ−ＤＣＨ上で送信されるデータはスケジューリング対象データとスケジューリング対象外データとに類別される。前述のとおり、フレーミングヘッダまたはスケジューリング情報（ＳＩ）のようなＭＡＣ−ｅ制御シグナリングが、Ｅ−ＴＦＣ選択手順によって解釈されなければならない。したがって、スケジューリング情報は、有効なスケジューリング対象外許可をもつとされるスケジューリング対象外データとして扱われる。ＨＡＲＱ処理制限の導入により、ノードＢは、スケジューリング対象外データ送信用のリソースを特定数のＨＡＲＱのみにしか確保することができなくなる。しかし、この新しく導入されたスケジューリング対象外データに対するＨＡＲＱ処理制限は、他方では新たな問題を引き起こす。例えば、スケジューリング対象外データとして扱われるスケジューリング情報が、スケジューリング対象外許可が有効である処理でしか送信できなくなるからである。これは、結果的にスケジューリング遅延につながる、スケジューリング情報のシグナリングにとってのかなりの遅延を意味する。サービングノードＢによるスケジューリング決定の遅れは、アップリンクのスループットを減少させ、その結果、様々なサービスにおいて知覚されるサービス品質ＱｏＳを劣化させる。これは、サービスが所定のＱｏＳ要件を満たす必要がある場合、特に重大である。
【非特許文献１】3GPP TR 25.401: "UTRAN Overall Description"
【非特許文献２】3GPP TR 25.896: “Feasibility Study for Enhanced Uplink for UTRA FDD (Release 6)”
【非特許文献３】3GPP TSG RAN WG1, meeting #31, Tdoc R01-030284, "Scheduled and Autonomous Mode Operation for the Enhanced Uplink"
【非特許文献４】3GPP TS25.309
【非特許文献５】3GPP TS 25.133: "Requirements for support of radio resource management (FDD)"
【非特許文献６】3GPP TS 25.331, ”Radio Resource Control （RRC）; Protocol Specifications （Release 6）”, V.6.6.0, section 10.3.6.99
【発明の開示】
【００８５】
本発明の目的は、従来のＨＡＲＱ処理制限メカニズムにより必然的に含まれる制御シグナリングの遅延を減少させ、それにより上記の問題を克服ことである。
【００８６】
上記の目的は、独立請求項の主題によって解決される。本発明の有利な実施の形態は従属請求項の主題である。
【００８７】
前に述べた問題を考慮すると、ＨＡＲＱ処理制限メカニズムにより必然的に含まれる負の影響が、制御データのシグナリングを必要とするすべてのメカニズムに影響を及ぼすことが認識される（これらの制御データがスケジューリング対象外データとして扱われ、ＨＡＲＱ処理制限の対象となる場合）。したがって、本発明は、スケジューリング情報のシグナリングのための上記の目的の明確な解決策を提案するのみでなく、スケジューリング対象外データの全般的な問題の解決策も提案する。本発明の主たる態様によれば、上記の目的は、アップリンクデータをスケジューリング対象データ、スケジューリング対象外ユーザデータ、スケジューリング対象外制御データに分ける新しい分類によって、そしてＨＡＲＱ処理制限メカニズムの新しい定義によって解決される。本発明によれば、スケジューリング対象外許可の有効性をＨＡＲＱ処理セットの一部に制限することは、スケジューリング対象外許可が有効である各ＨＡＲＱ処理でのスケジューリング対象外ユーザデータの送信を有効化／無効化するためにだけ許容される。スケジューリング対象外制御データ、例えば、フレーミングヘッダまたはスケジューリング情報は、使用可能なＨＡＲＱ処理セットの一部に制限されない。すなわち、スケジューリング対象外制御データは、随時、使用可能なＨＡＲＱ処理のいずれか一つを使用して送信されることができる。本発明の別の態様によれば、アップリンクデータの新しい分類とＨＡＲＱ処理制限の新しい定義との観点で、本発明はさらに、データの種類により、スケジューリング許可およびスケジューリング対象外許可により、ＨＡＲＱ処理制限の設定を勘案しつつ、異なるタイプのアップリンクデータをトランスポートチャネルに多重化する新しいデータ割当て処理を提案する。
【００８８】
本発明の一つの有利な実施の形態によれば、スケジューリング許可と少なくとも一つのスケジューリング対象外許可とにより定義されたリソース利用制限に従った、スケジューリング対象データとスケジューリング対象外ユーザデータとスケジューリング対象外制御データとについてのデータ割当て処理を実行するための方法が提供される。
【００８９】
一般に、スケジューリング許可は、無線通信システムにおいて移動端末が送信時間間隔内にアップリンクチャネルでスケジューリング対象データを送信するために利用可能な最大量のリソースを指示する。さらに、スケジューリング対象外許可は、移動端末が送信時間間隔内にアップリンクチャネルでスケジューリング対象外データを送信するために利用可能な最大量のリソースを指示する。
【００９０】
本発明のこの有利な実施の形態によれば、スケジューリング対象外許可は、複数のＨＡＲＱ処理の一部に制限され、これにより上記一部のＨＡＲＱ処理はスケジューリング対象外ユーザデータを送信するためにアクティブにされる。この制限は、スケジューリング対象外ユーザデータの送信に対しては、上記複数のＨＡＲＱ処理の残りのＨＡＲＱ処理を非アクティブにし、スケジューリング対象外制御データの送信に対しては、上記残りのＨＡＲＱ処理を非アクティブにしない。言い換えれば、スケジューリング対象外制御データの送信に対して、使用可能なすべてのＨＡＲＱ処理がアクティブにされ得る。
【００９１】
次の送信時間間隔に向けて、アップリンク送信を待つスケジューリング対象データ、スケジューリング対象外ユーザデータおよびスケジューリング対象外制御データは、上記複数のＨＡＲＱ処理の一つを使用して次の送信時間間隔内にアップリンクチャネルで送信されるトランスポートチャネルのパケットデータユニットに多重化される。したがって、上記スケジューリング許可および上記該当するスケジューリング対象外許可に従って、次の送信時間間隔に使用されるべきＨＡＲＱ処理がスケジューリング対象外ユーザデータを送信するのにアクティブであるか否かを勘案しつつ、アップリンク送信を待つスケジューリング対象データ、スケジューリング対象外ユーザデータおよびスケジューリング対象外制御データは多重化される。
【００９２】
さらに、パケットデータユニットは、次の送信時間間隔におけるアップリンクチャネルでの送信に向けて、次の送信時間間隔に使用されるべきＨＡＲＱ処理に供給される。
【００９３】
本実施の形態の有利な変形では、たとえ当該ＨＡＲＱ処理がスケジューリング対象外ユーザデータの送信に対して非アクティブにされたとしても、送信を待つスケジューリング対象外制御データは、次の送信時間間隔に送信に使用されるべきＨＡＲＱ処理に供給されるパケットデータユニットに多重化される。
【００９４】
本発明の別の実施の形態は、スケジューリング許可と少なくとも一つのスケジューリング対象外許可とにより定義されたリソース利用制限に従った、スケジューリング対象データとスケジューリング対象外ユーザデータとスケジューリング対象外制御データとについてのデータ割当て処理を実行するための代替的な方法を提供する。
【００９５】
この代替的な実施の形態によれば、スケジューリング対象外許可は複数のＨＡＲＱ処理の一部に対して有効であると移動端末により定義される。上記一部のＨＡＲＱ処理はスケジューリング対象外ユーザデータの送信にはアクティブにされるが、上記スケジューリング対象外許可が無効である残りのＨＡＲＱ処理はスケジューリング対象外ユーザデータの送信には非アクティブにされる。
【００９６】
さらに、次の送信時間間隔に向けて、アップリンク送信を待つスケジューリング対象データ、スケジューリング対象外ユーザデータおよびスケジューリング対象外制御データは、上記複数のＨＡＲＱ処理の一つを使用して次の送信時間間隔内にアップリンクチャネルで送信されるトランスポートチャネルのパケットデータユニットに多重化される。したがって、上記スケジューリング許可および上記該当するスケジューリング対象外許可に従って、次の送信時間間隔に使用されるべきＨＡＲＱ処理に対してスケジューリング対象外許可が有効と定義されたか無効と定義されたかを勘案しつつ、アップリンク送信を待つスケジューリング対象データ、スケジューリング対象外ユーザデータおよびスケジューリング対象外制御データは多重化される。
【００９７】
次に、パケットデータユニットは、次の送信時間間隔におけるアップリンクチャネルでの送信に向けて、次の送信時間間隔に使用されるべきＨＡＲＱ処理に供給される。次の送信時間間隔に使用されるべきＨＡＲＱ処理は、したがって、スケジューリング対象外制御データの送信には（常に）アクティブ化されるものとされる。
【００９８】
本実施の形態の変形では、たとえ当該ＨＡＲＱ処理がスケジューリング対象外許可で非アクティブ化されるとしても、送信を待つスケジューリング対象外制御データは、次の送信時間間隔に送信に使用されるべきＨＡＲＱ処理に供給されるパケットデータユニットに多重化される。
【００９９】
本実施の形態のさらに代替的な変形では、たとえスケジューリング対象外許可が当該ＨＡＲＱ処理に対して無効であっても、送信を待つスケジューリング対象外制御データは、次の送信時間間隔に送信に使用されるべきＨＡＲＱ処理に供給されるパケットデータユニットに多重化される。
【０１００】
本発明の別の実施の形態によれば、スケジューリング対象外制御データは、例えば、スケジューリング関連制御シグナリングまたはＭＡＣフレーミングヘッダシグナリングを含むことができる。
【０１０１】
さらに別の実施の形態では、スケジューリング対象外許可はスケジューリング対象外ユーザデータおよびスケジューリング対象外制御データに有効であることを前提とする。この場合、スケジューリング対象外許可は、スケジューリング対象外ユーザデータおよびスケジューリング対象外制御データを送信するために移動端末が利用可能な最大量のリソースを指示する。
【０１０２】
この実施の形態の一変形によれば、たとえ上記スケジューリング対象外許可が、スケジューリング対象外制御データを送信するには十分ではないリソース量をスケジューリング対象外データ送信に与える場合でも、送信を待つスケジューリング対象外制御データは、次の送信時間間隔に使用されるべきＨＡＲＱ処理に供給されるパケットデータユニットに多重化される。
【０１０３】
別の実施の形態では、スケジューリング対象外ユーザデータおよびスケジューリング対象外制御データのそれぞれに有効な個別のスケジューリング対象外許可があることを前提とする。したがって、スケジューリング対象外制御データの送信のために移動端末が利用可能な最大量のリソースを指示する個別のスケジューリング対象外許可が割り当てられる。
【０１０４】
さらに、上記個別のスケジューリング対象外許可により指示されたリソース量は、次の送信時間間隔に使用すべきＨＡＲＱ処理でスケジューリング対象外制御データの送信を可能にするように常に定義される、または十分に大きくされることは有利であろう。
【０１０５】
別の実施の形態では、スケジューリング対象外許可を複数のＨＡＲＱ処理の一部に制限することを示す情報要素を含んでなる制御シグナリングが移動端末により移動端末の無線リソースを制御するネットワークエンティティから受信され、移動端末は上記制御シグナリングに従って上記スケジューリング対象外許可を複数のＨＡＲＱ処理の一部に制限する。
【０１０６】
スケジューリング対象外許可により指示される最大量のリソースは、送信時間間隔内にアップリンクチャネルでスケジューリング対象外データを送信するのに移動端末が利用可能なデータ量により指示されることはさらに望ましい。
【０１０７】
さらに、本発明の別の実施の形態では、スケジューリング許可により指示される最大量のリソースは、拡張個別物理データチャネルＥ−ＤＰＤＣＨと個別物理制御チャネルＤＰＣＣＨとの間の電力比により指示される。
【０１０８】
さらに、スケジューリング許可および少なくとも一つのスケジューリング対象外許可は、移動通信システムの無線アクセスネットワークから移動端末により受信される、または移動端末により設定されるならば有利であろう。
【０１０９】
本発明の別の実施の形態は、無線通信システムで使用される移動端末に関連する。当該移動端末は、スケジューリング許可と少なくとも一つのスケジューリング対象外許可とにより定義されたリソース利用制限に従った、スケジューリング対象データとスケジューリング対象外ユーザデータとスケジューリング対象外制御データとについてのデータ割当て処理を実行するように適合されることができる。
【０１１０】
先に定義したように、スケジューリング許可は、送信時間間隔内にアップリンクチャネルでスケジューリング対象データを送信するのに移動端末が利用可能な最大量のリソースを指示し、一方、スケジューリング対象外許可は、送信時間間隔内にアップリンクチャネルでスケジューリング対象外データを送信するのに移動端末が利用可能な最大量のリソースを指示することができる。
【０１１１】
上記移動端末は、スケジューリング対象外許可を複数のＨＡＲＱ処理の一部に制限し、それにより上記一部のＨＡＲＱ処理をスケジューリング対象外ユーザデータを送信するためにアクティブにするための汎用プロセッサ、デジタルシグナルプロセッサなどの処理手段を含むことができる。この制限は、上記複数のＨＡＲＱ処理の残りのＨＡＲＱ処理をスケジューリング対象外ユーザデータの送信に対しては非アクティブにし、上記残りのＨＡＲＱ処理をスケジューリング対象外制御データの送信に対しては非アクティブにしない。
【０１１２】
さらに、上記移動端末は、次の送信時間間隔に向けて、アップリンク送信を待つスケジューリング対象データ、スケジューリング対象外ユーザデータおよびスケジューリング対象外制御データを、上記複数のＨＡＲＱ処理の一つを使用して次の送信時間間隔内にアップリンクチャネルで送信されるトランスポートチャネルのパケットデータユニットに多重化するためのマルチプレクサを含むことができる。上記マルチプレクサは、上記スケジューリング許可および上記該当するスケジューリング対象外許可に従って、次の送信時間間隔で使用されるべきＨＡＲＱ処理がスケジューリング対象外ユーザデータの送信にアクティブであるか否かを勘案しつつ、アップリンク送信待ちのスケジューリング対象データ、スケジューリング対象外ユーザデータおよびスケジューリング対象外制御データを多重化するように適合されることができる。上記マルチプレクサは、次の送信時間間隔にアップリンクで送信されるパケットデータユニットを次の送信時間間隔に使用されるべきＨＡＲＱ処理に供給するようにさらに適合されることができる。
【０１１３】
本発明の別の実施の形態では、上記マルチプレクサは、たとえ当該ＨＡＲＱ処理がスケジューリング対象外ユーザデータの送信に対して非アクティブにされたとしても、送信を待つスケジューリング対象外制御データを、次の送信時間間隔に送信に使用されるべきＨＡＲＱ処理に供給されるパケットデータユニットに多重化するようにさらに適合される。
【０１１４】
別の実施の形態は、当該移動端末は、スケジューリング許可と少なくとも一つのスケジューリング対象外許可とにより定義されたリソース利用制限に従った、スケジューリング対象データとスケジューリング対象外ユーザデータとスケジューリング対象外制御データとについてのデータ割当て処理を実行するように適合された、無線通信システムで使用されるさらに別の移動端末を提供する。
【０１１５】
この移動端末はまた、スケジューリング対象外許可を複数のＨＡＲＱ処理の一部に対して有効であると定義するための処理手段を含むことができる。上記一部のＨＡＲＱ処理はスケジューリング対象外ユーザデータの送信にアクティブ化されるが、上記スケジューリング対象外許可が無効である残りのＨＡＲＱ処理はスケジューリング対象外ユーザデータの送信には非アクティブ化される。
【０１１６】
さらに、上記移動端末は、次の送信時間間隔に向けて、アップリンク送信を待つスケジューリング対象データとスケジューリング対象外ユーザデータとスケジューリング対象外制御データとを、上記複数のＨＡＲＱ処理の一つを使用して次の送信時間間隔内にアップリンクチャネルで送信されるトランスポートチャネルのパケットデータユニットに多重化するためのマルチプレクサを含むことができる。上記マルチプレクサは、上記スケジューリング許可および上記該当するスケジューリング対象外許可に従って、次の送信時間間隔に使用されるべきＨＡＲＱ処理に対してスケジューリング対象外許可が有効と定義されたか無効と定義されたかを勘案しつつ、アップリンク送信を待つスケジューリング対象データとスケジューリング対象外ユーザデータとスケジューリング対象外制御データとを多重化するように、そして次の送信時間間隔のアップリンクチャネルでの送信に向けて次の送信時間間隔に使用されるべきＨＡＲＱ処理にパケットデータユニットを供給するように適合されることができる。
【０１１７】
この実施の形態によれば、移動端末は、次の送信時間間隔に使用されるべきＨＡＲＱ処理はスケジューリング対象外制御データの送信に常にアクティブ化されるものとする。
【０１１８】
本発明のこの実施の形態の変形では、上記マルチプレクサは、たとえ当該ＨＡＲＱ処理がスケジューリング対象外許可では非アクティブ化されるとしても、送信を待つスケジューリング対象外制御データを次の送信時間間隔に送信に使用されるべきＨＡＲＱ処理に供給されるパケットデータユニットに多重化するように適合される。
【０１１９】
別の実施の形態では、上記マルチプレクサは、たとえスケジューリング対象外許可が当該ＨＡＲＱ処理に対して無効であっても、送信を待つスケジューリング対象外制御データを次の送信時間間隔に送信に使用されるべきＨＡＲＱ処理に供給されるパケットデータユニットに多重化するように適合される。
【０１２０】
上記実施の形態による移動端末は、前述したデータ割当て処理を実行するための方法の各ステップを実行するように適合された手段をさらに含むことができる。
【０１２１】
本発明のさらに別の実施の形態は、移動端末のプロセッサにより実行されるとき、スケジューリング許可と少なくとも一つのスケジューリング対象外許可とにより定義されたリソース利用制限に従った、スケジューリング対象データとスケジューリング対象外ユーザデータとスケジューリング対象外制御データとについてのデータ割当て処理を当該移動端末に実行させる命令を記憶しているコンピュータ読取可能媒体を提供する。
【０１２２】
上記命令は、移動端末に、スケジューリング対象外許可を複数のＨＡＲＱ処理の一部に制限し、それにより前記一部のＨＡＲＱ処理をスケジューリング対象外ユーザデータの送信に対してアクティブにすることにより、その結果、上記制限は上記複数のＨＡＲＱ処理の残りのＨＡＲＱ処理をスケジューリング対象外ユーザデータの送信に対しては非アクティブとし、上記残りのＨＡＲＱ処理をスケジューリング対象外制御データの送信に対しては非アクティブにせず、次の送信時間間隔でのアップリンク送信を待つスケジューリング対象データとスケジューリング対象外ユーザデータとスケジューリング対象外制御データとを上記複数のＨＡＲＱ処理の一つを使用して次の送信時間間隔内にアップリンクチャネルで送信されるトランスポートチャネルのパケットデータユニットに多重化することによりデータ割当て処理を実行させることができる。これにより、スケジューリング許可および該当するスケジューリング対象外許可に従って、次の送信時間間隔に使用されるべきＨＡＲＱ処理がスケジューリング対象外ユーザデータの送信にアクティブであるか否かを勘案しつつ、アップリンク送信を待つスケジューリング対象データとスケジューリング対象外ユーザデータとスケジューリング対象外制御データとは多重化される。
【０１２３】
さらに、コンピュータ読取可能媒体に記憶された上記命令は、移動端末に、次の送信時間間隔におけるアップリンクチャネルでの送信に向けて、上記パケットデータユニットを次の送信時間間隔に使用されるべきＨＡＲＱ処理に供給させるようにする。
【０１２４】
本実施の形態の有利な変形では、上記コンピュータ読取可能媒体は、移動端末のプロセッサにより実行されるとき、当該移動端末に、たとえ当該ＨＡＲＱ処理がスケジューリング対象外ユーザデータの送信に対して非アクティブにされたとしても、送信を待つスケジューリング対象外制御データを、次の送信時間間隔に送信に使用されるべきＨＡＲＱ処理に供給されるパケットデータユニットに多重化させる命令をさらに記憶することができる。
【０１２５】
本発明の別の実施の形態は、移動端末のプロセッサにより実行されるとき、スケジューリング許可および少なくとも一つのスケジューリング対象外許可により定義されたリソース利用制限に従った、スケジューリング対象データとスケジューリング対象外ユーザデータとスケジューリング対象外制御データとについてのデータ割当て処理を当該移動端末に実行させる命令を記憶しているコンピュータ読取可能な媒体に関連する。
【０１２６】
この実施の形態によれば、スケジューリング対象外許可を複数のＨＡＲＱ処理の一部に対して有効であると定義することにより、ここで上記一部のＨＡＲＱ処理はスケジューリング対象外ユーザデータの送信にアクティブ化されるが、上記スケジューリング対象外許可が無効である残りのＨＡＲＱ処理はスケジューリング対象外ユーザデータの送信には非アクティブにされ、次の送信時間間隔に向けて、アップリンク送信を待つスケジューリング対象データとスケジューリング対象外ユーザデータとスケジューリング対象外制御データとを、上記複数のＨＡＲＱ処理の一つを使用して次の送信時間間隔内にアップリンクチャネルで送信されるトランスポートチャネルのパケットデータユニットに多重化することにより、当該移動端末はデータ割当て処理を実行するようにされる。これにより、上記スケジューリング許可および上記該当するスケジューリング対象外許可に従って、次の送信時間間隔に使用されるべきＨＡＲＱ処理に対してスケジューリング対象外許可が有効と定義されたか無効と定義されたかを勘案しつつ、アップリンク送信を待つスケジューリング対象データとスケジューリング対象外ユーザデータとスケジューリング対象外制御データは多重化される。
【０１２７】
さらに、上記命令は、当該移動端末に、次の送信時間間隔におけるアップリンクチャネルでの送信に向けて、上記パケットデータユニットを次の送信時間間隔に使用されるべきＨＡＲＱ処理に供給させるようにする、ここで、次の送信時間間隔に使用されるべきＨＡＲＱ処理は、スケジューリング対象外制御データの送信に常にアクティブ化されるものとされる。
【０１２８】
別の実施の形態では、コンピュータ読取可能な媒体は、移動端末のプロセッサにより実行されるとき、当該移動端末に、たとえ当該ＨＡＲＱ処理がスケジューリング対象外許可では非アクティブにされる場合でも、送信を待つスケジューリング対象外制御データを、次の送信時間間隔に送信に使用されるべきＨＡＲＱ処理に供給されるパケットデータユニットに多重化させる命令をさらに記憶することができる。
【０１２９】
代替的に、上記媒体はまた、移動端末のプロセッサにより実行されるとき、当該移動端末に、たとえスケジューリング対象外許可が当該ＨＡＲＱ処理に対して無効であっても、送信を待つスケジューリング対象外制御データを、次の送信時間間隔に送信に使用されるべきＨＡＲＱ処理に供給されるパケットデータユニットに多重化させる命令を記憶するようにしてもよい。
【０１３０】
上記コンピュータ読取可能媒体は、移動端末のプロセッサにより実行されるとき、前述の様々な実施の形態とその変形のうちの一つによるデータ割当て処理を実行するための方法の各ステップを当該移動端末に実行させる命令を記憶するようにしてもよい。
【０１３１】
本発明の別の態様は、移動端末の無線リソースを制御する、移動通信システムの無線アクセスネットワーク中のネットワークエンティティの動作に関連する。この態様によれば、本発明の別の実施の形態は、移動端末の無線リソースを制御する、移動通信システムの無線アクセスネットワーク中のネットワークエンティティから上記移動端末の少なくとも一つへ制御シグナリングを送信するための方法に関連する。上記ネットワークエンティティは、スケジューリング許可および少なくとも一つのスケジューリング対象外許可に従って、上記移動端末の一つからスケジューリング対象ユーザデータ、スケジューリング対象外ユーザデータ、およびスケジューリング対象外制御データを受信するために使用される複数のＨＡＲＱ処理の一部を選択することができ、ここで選択された一部のＨＡＲＱ処理は、上記一つの移動端末から当該無線アクセスネットワークへアップリンクチャネルを介するスケジューリング対象外制御データの送信に使用されるべきものである。さらに、ネットワークエンティティは、当該無線アクセスネットワークへのスケジューリング対象外制御データの送信にアクティブ化されるべき上記一部のＨＡＲＱ処理を示す制御シグナリング情報を生成することができ、そして上記制御シグナリング情報を上記一つの移動端末へ送信することができる。
【０１３２】
有利には、上記制御シグナリング情報は、アップリンクチャネルをセットアップまたは再設定する、上記一つの移動端末に送信されるシグナリングメッセージの情報要素内に含まれ得る。
【０１３３】
さらに、上記シグナリング情報はビットの列を含むことができ、このビットの列中のビット数は使用可能なＨＡＲＱ処理の数に等しく、ここで上記列中の上記ビットの各々一つの論理値は対応するＨＡＲＱ処理がアップリンクチャネルでのスケジューリング対象外制御データの送信にアクティブ化されるか非アクティブ化されるかを上記一つの移動端末に示す。
【０１３４】
本発明の別の実施の形態は、移動端末の無線リソースを制御する、移動通信システムの無線アクセスネットワーク中のネットワークエンティティに関連する。当該ネットワークエンティティは、スケジューリング許可および少なくとも一つのスケジューリング対象外許可に従って、上記移動端末の一つからスケジューリング対象ユーザデータ、スケジューリング対象外ユーザデータ、およびスケジューリング対象外制御データを受信するために使用される複数のＨＡＲＱ処理の一部を選択するための処理手段を含むことができ、ここで選択された一部のＨＡＲＱ処理は、前記一つの移動端末から当該無線アクセスネットワークへアップリンクチャネルを介するスケジューリング対象外制御データの送信に使用されるべきものである。さらに、上記処理手段は、当該無線アクセスネットワークへのスケジューリング対象外制御データの送信にアクティブ化されるべき上記一部のＨＡＲＱ処理を示す制御シグナリング情報を生成するように適合されることができる。
【０１３５】
上記ネットワークエンティティはまた、上記制御シグナリング情報を上記一つの移動端末へ送信するための送信器、および上記一つの移動端末からスケジューリング対象外制御データを受信する受信器を含むことができる。
【０１３６】
さらに別の実施の形態では、上記ネットワークエンティティは、前述の様々な実施の形態とその変形とによるデータ割当て処理を実行するための方法の各ステップを実行するように適合された手段を含むことができる。
【０１３７】
別の実施の形態は、移動端末の無線リソースを制御する、移動通信システム中の無線アクセスネットワークのネットワークエンティティのプロセッサにより実行されるとき、当該ネットワークエンティティにネットワークエンティティから上記移動端末の少なくとも一つへ制御シグナリングを送信させる命令を記憶しているコンピュータ読取可能媒体に関連する。上記ネットワークエンティティは、スケジューリング許可および少なくとも一つのスケジューリング対象外許可に従って、上記移動端末の一つからスケジューリング対象ユーザデータ、スケジューリング対象外ユーザデータ、およびスケジューリング対象外制御データを受信するために使用される複数のＨＡＲＱ処理の一部を選択し、ここで選択された一部のＨＡＲＱ処理は、上記一つの移動端末から当該無線アクセスネットワークへアップリンクチャネルを介するスケジューリング対象外制御データの送信に使用されるべきものである、当該無線アクセスネットワークへのスケジューリング対象外制御データの送信にアクティブ化されるべき上記一部のＨＡＲＱ処理を示す制御シグナリング情報を生成し、そして上記制御シグナリング情報を上記一つの移動端末へ送信することにより制御シグナリングを送信するようにされる。
【０１３８】
上記コンピュータ読取可能媒体は、ネットワークエンティティのプロセッサにより実行されるとき、ここに記述した様々な実施の形態による制御シグナリングを送信するための方法の各ステップを当該ネットワークエンティティに実行させる命令をさらに記憶してもよい。
【０１３９】
さらに、本発明は、ここに記述した本発明の様々な実施の形態の一つによる移動端末とネットワークエンティティを含んでなる移動通信システムに関連する。
【発明を実施するための最良の形態】
【０１４０】
添付の図および図面を参照し、本発明をさらに詳細に以下に説明する。各図中の同等または同様の詳細部には、同じ参照番号を付けてある。
【０１４１】
以下の段落では、本発明の多様な実施の形態を説明する。典型的な例を示すという目的でのみ、実施の形態の大部分は、ＵＭＴＳ通信システムに関連して概説される。また、以下の節で使用される専門用語は、主にＵＭＴＳの用語に関連する。これは、本発明はこの種の通信ネットワークで有利に利用され得るからである。しかし、ＵＭＴＳ構成に関連した実施の形態の使用用語および説明は、本発明の原理および思想を上記システムに限定することを意図したものではない。
【０１４２】
また、前述の背景技術の節で述べた詳細な説明は、以下に説明する主にＵＭＴＳに特有の典型的な実施例をよりよく理解してもらうためのものにすぎず、移動通信ネットワークにおける処理および機能のここで述べた特定の実現に本発明を限定するものと理解すべきではない。
【０１４３】
ここに提示される思想は、スケジューリング対象データ／スケジューリング対象外データの枠組みで動作し、ここで概説するのと同様のメカニズムを用いる（移動）通信システムに適用されることができる。さらに、本発明は、アップリンクチャネルの様々なフローに対して設定される送信時間間隔に左右されない。
【０１４４】
前述したように、本発明の主となる思想の一つは、Ｅ−ＤＣＨなどの個別アップリンクチャネルを介して送信されるデータの新しい分類の導入である。本発明によれば、アップリンクで送信されるデータは、スケジューリング対象データ、スケジューリング対象外ユーザデータおよびスケジューリング対象外制御データの三種類に分けられる。
【０１４５】
本発明の一実施の形態によれば、スケジューリング対象データは、例えば、上位レイヤのユーザサービスから移動端末のＭＡＣレイヤエンティティに供給されるペイロードであり、どんなタイプのペイロードであってもよい。使用用語からすでに推測できるように、スケジューリング対象データは、送信のためのアップリンクリソースの明示的な許可、いわゆるスケジューリング許可を必要とする。ある例示的な実施の形態では、リソースの許可は、前述の背景技術の節で示唆されたように実現され得る。しかし、例えば一ＴＴＩベースまたは多数ＴＴＩベースでの一定の時間期間の間リソースを割り当てる動的リソース割当てのほかのメカニズムを使用してもよい。
【０１４６】
スケジューリング対象外ユーザデータは、送信時間間隔を基準としたリソースの明示的な許可を必要としないユーザサービスデータとすることができる。背景技術の節で述べたように、スケジューリング対象外ユーザデータは、送信時間間隔内の送信に決められた所定のビット量を許可する、有効ないわゆるスケジューリング対象外許可を必要とする。さらに、スケジューリング対象外許可は、個々のユーザデータフロー、例えば、個々の論理チャネルまたはＭＡＣ−ｄフローに対して有効となり得る。スケジューリング対象外許可は、セッション開始時に固定的に設定することができ、アップリンクのサービス提供中に再設定可能である。この設定は、例えば、無線リソース制御（ＲＲＣ）プロトコルを使用して、移動端末の無線リソース利用を制御する、移動通信ネットワークの無線アクセスネットワーク中のネットワークエンティティから移動端末にシグナリングされ得る。例えば、ＵＭＴＳネットワークのＵＴＲＡＮでは、このシグナリング機能は、通常、サービングＲＮＣによって提供される。
【０１４７】
本発明により定義された第三の種類は、いわゆるスケジューリング対象外制御データである。スケジューリング対象外ユーザデータと同様に、スケジューリング対象外制御データも、送信時間間隔内に送信される所定のビット量を許可する、有効なスケジューリング対象外許可を必要とする。一般に、スケジューリング対象外ユーザデータおよびスケジューリング対象外制御データは、一つのスケジューリング対象外許可を共有することがあり（すなわち、許可がスケジューリング対象外ユーザデータおよひスケジューリング対象外制御データの両方に共に有効になる）、スケジューリング対象外制御データに対するスケジューリング対象外許可が別々に定義されることもある。スケジューリング対象外許可がスケジューリング対象外制御データに与えられる場合、ＲＡＮからの関連制御シグナリングを使用して、または使用せずに、同許可は、固定的または動的に移動端末によって設定され得る。
【０１４８】
スケジューリング対象外制御データとしては、例えば、スケジューリング情報があげられる。本発明の一実施の形態では、スケジューリング情報、およびＲＡＮへのそれらの提供は、例えば、背景技術の節で述べたように定義し設定され得る。広く言えば、本発明によるスケジューリング情報は、ノードＢが、そのセル内でその制御下にある移動端末を、セル内の移動端末によって引き起こされる最大限の全受信干渉電力（ＲｏＴ）を順守するようにスケジューリングできるようにする情報を、スケジューリングノードＢ（基地局）に通知するあらゆる種類のデータを表すことができる。
【０１４９】
例えば、論理チャネルごとにスケジューリングを実行する場合、すなわち、各論理チャネルに関連付けられたＱｏＳ要件がスケジューラによって勘案される場合、スケジューリング情報は送信されるスケジューリング情報の対象となる各論理チャネルを識別する必要がある。スケジューリング情報は、最高の優先度の一つ以上の論理チャネルのみを対象に、あるいは移動端末上に構成されたすべての論理チャネルにを対象に移動端末によって送信されることができる。制御情報の送信はセル内のＲｏＴに寄与するので、システム効率を考慮して許容できる制御シグナリングの量は変更可能であり、また、スケジューリング対象外制御データの量は、個々の論理チャネルについての報告および／またはある種のイベント（イベントを契機とした報告）および／または周期的な報告に制限され得る。スケジューリング情報はさらに、各論理チャネルに関連付けられたＱｏＳ制約を満たせるように、どの端末がより多くの／より少ないリソースの割当てを必要としているかを、スケジューリングノードＢが判定できるようにする情報を含み得る。例えば、最高の優先度の論理チャネルの送信バッファ状態または移動端末の全体のバッファ状態である。さらに、スケジューリング情報は、電力状態の情報も含み得る。スケジューリング情報は上位レイヤのデータと直接結合されない。スケジューリング情報は、独立で、すなわち、他のユーザまたは制御データを含まずに、送信されることもあり、もし存在するのであれば、スケジューリング対象外ユーザデータまたはスケジューリング対象ユーザデータと共に送信されることもある。スケジューリング対象外制御データとしてあり得る別のタイプは、図１０に関して説明したフレーミングヘッダのデータである。常に上位レイヤのデータと結合されるフレーミングヘッダについても、Ｅ−ＴＦＣ選択の際に、スケジューリング対象外許可が移動端末によって仮定され得る（すなわち、スケジューリング対象外制御データの場合）。フレーミングヘッダはＭＡＣ−ｄ  ＰＤＵに関連付けられるので、移動端末（例えば、ＵＥ）は関連付けられたＭＡＣ−ｄフローに対する設定と同じ設定を仮定することができる。スケジューリング対象外制御データの場合、移動端末は、Ｅ−ＴＦＣ選択の際に「２ｍｓスケジューリング対象外送信許可のＨＡＲＱ処理割当て」というＩＥ（情報要素）にある、フレーミングヘッダの送信のためのスケジューリング対象外許可と、関連付けられたＭＡＣ−ｄフローに対して設定されたのと同じＨＡＲＱ処理とを仮定することができる。本発明の一実施の形態によるこの例示的な動作は、フレーミングヘッダがスケジューリング対象ユーザデータとして扱われる関連付けられたデータと常に一緒に送信されることを保証できるようにする。スケジューリング対象外制御データとしてあり得るまた別のタイプは、レイヤ２モビリティに使用されるデータである。アップリンクのサービングセルが移動端末によって選択される場合、新旧のサービングセルにサービングセル選択を通知するために、スケジューリング対象外制御ＰＤＵが移動端末からノードＢへ送信され得る。
【０１５０】
アップリンクデータのこの提案された新しい分類に加えて、本発明の別の態様は、新しいＨＡＲＱ処理制限メカニズムの導入である。本発明によれば、スケジューリング対象外ユーザデータに対するスケジューリング対象外許可をＨＡＲＱ処理セットの一部に制限することが可能であるが、スケジューリング対象外制御データに対して予測されるＨＡＲＱ処理制限はない。本発明で提案された処理制限は、したがって、スケジューリング対象外ユーザデータの送信にのみ適用できるが、スケジューリング対象外制御データには適用しない。その結果、移動端末はスケジューリング対象外制御データを、それが発生した場合に次の送信時間間隔に使用されるべきＨＡＲＱ処理を使用して送信されるトランスポートチャネルのプロトコルデータユニット（またはトランスポートブロック）に多重化できる。これは、スケジューリング対象外制御データの送信における望ましくない遅延を回避可能にする。
【０１５１】
本発明のある例示的な実施の形態によれば、背景技術の節で述べたようなＵＭＴＳシステムが想定される。この例示的な実施の形態では、スケジューリング情報の処理に関するＥ−ＴＦＣ選択のためのＵＥの挙動を以下のとおり特定することができる。スケジューリング情報を送信する必要がある場合、Ｅ−ＴＦＣ選択およびデータ割当て処理は、その送信のために、スケジューリング対象外許可が得られかつ使用ＨＡＲＱ処理がアクティブであると仮定する。この定義により、ＵＥはスケジューリング情報の送信にどのＨＡＲＱ処理でも使用してよいことが保証され得る。
【０１５２】
本発明の次なる例示的な実施の形態を図１２、図１３および図１４を参照して概説する。図１２は、本発明の一実施の形態による移動端末の機能エンティティの構成概要の模式図を示す。
【０１５３】
この実施の形態によれば、スケジューリング対象データ、スケジューリング対象外ユーザデータおよびスケジューリング対象外制御データがマルチプレクサに供給される。マルチプレクサは、ハードウェア実現のマルチプレクサでも、ソフトウェア命令により実現されてもよい。図１２に示されたスケジューリング対象データ、スケジューリング対象外ユーザデータは、上位レイヤからＭＡＣレイヤのような下位レイヤへ供給されたデータフローと考えてよい。また、複数のスケジューリング対象データフロー、スケジューリング対象外ユーザデータフローおよび／またはスケジューリング対象外制御データフローが、マルチプレクサによって多重化され得る。これらのデータフローは、それぞれのフローに関連付けられたバッファによって供給され得る。
【０１５４】
各フローに対して、移動端末が個別の許可を設定した場合がある。スケジューリング許可は、スケジューリング対象データフローのすべてまたは各々に対して、送信時間間隔内にアップリンクチャネルでスケジューリング対象データを送信するために移動端末が利用可能な最大量のリソースを示す。さらに、送信時間間隔内にアップリンクチャネルでスケジューリング対象外データを送信するために移動端末が利用可能な最大量のリソースを示すスケジューリング対象外許可が設定される。マルチプレクサに供給されるスケジューリング対象外ユーザデータフローの各々またはすべてに対する別のスケジューリング対象外許可があってもよい。あるいは、ある一つのスケジューリング対象外許可をスケジューリング対象外ユーザデータおよびスケジューリング対象外制御データに割り当ててもよい。別の可能性は、「別の」スケジューリング対象外許可をスケジューリング対象外制御データに対して定義することである。
【０１５５】
次の送信時間間隔にＲＡＮに提供されるべきプロトコルデータユニットに多重化されるビット数は、移動端末上で固定的に設定されても、動的に制御されてもよい。
【０１５６】
上記の実施の形態のある例示的な変形では、個々のフローから多重化される適切なビット数の選択は、本発明によるＨＡＲＱ処理制限、移動端末がプロトコルデータユニットの送信に使用可能な電力オフセット、ならびにスケジューリング許可およびスケジューリング対象外許可により各フローに対して移動端末に割り当てられたアップリンクリソースによって決まり得る。
【０１５７】
例えば、使用可能な１〜Ｎ個のＨＡＲＱ処理が、図９に示したように、また図１３に示すように、順次に使用されると仮定することができる。例えば、図１２に示したような構成エンティティをもつ移動端末によって実行される各ステップの例示的フロー図を示す図１３をここで参照すると、マルチプレクサは、次の送信時間間隔に使用されるべきＨＡＲＱ処理のＩＤを、与えられまたは決定することができる（１３０１）。これは、この次のＨＡＲＱ処理に対して処理制限が設定されているか否かを判断するためである。
【０１５８】
ＨＡＲＱ処理ＩＤを取得したら、この情報は、ステップ１３０２で、図１２のマルチプレクサに入力されたフローのうちのどれが次の送信時間間隔に送信されることになるのかを決定するために使用される。言うまでもなく、特定のフローで送信を待つデータがなければ、そのフローからのデータはプロトコルデータユニットに多重化されない。さらに、取得したＩＤにより特定されたＨＡＲＱ処理がスケジューリング対象外ユーザデータに関して制限されている場合、次の送信時間間隔には、制限されたＨＡＲＱ処理を使用して、制限されたフローからのデータは送信されない。本発明のこの実施の形態では、ＨＡＲＱ処理の制限はスケジューリング対象外ユーザデータにのみ適用し、スケジューリング情報などのスケジューリング対象外制御データの送信は、個々のＨＡＲＱ処理に制限されることはあり得ないということを認識するのは重要である。
【０１５９】
様々なスケジューリング対象およびスケジューリング対象外データフローのうちのどれを送信すべきかを決定したら、移動端末は、設定されたスケジューリング許可およびスケジューリング対象外許可内で送信されるであろうデータに対して適切なトランスポートフォーマットコンビネーション（例えば、変調符号化方式、拡散コードなど）を選択するステップ（１３０３）へ進み得る。本発明のある例示的な実施の形態では、この選択は、前述したＥ−ＴＦＣ選択機能と同様の規則に従って行われる。送信待ちのスケジューリング対象外制御データがあるならば、移動端末は、例えば、スケジューリング対象外制御データの送信のためのアップリンク上の十分なリソースを許可する関連スケジューリング対象外許可があると常に仮定することができる。スケジューリング対象外許可がスケジューリング対象外制御データの送信のために設定される場合は、この許可はＨＡＲＱ処理のいずれか一つでのスケジューリング対象外制御データの送信を可能にするのに十分な大きさに常に設定され得る。
【０１６０】
選択されたトランスポートフォーマットコンビネーションはまた、次の送信時間間隔に送信されるであろう個々のデータフローからのビット量も決定する。この認識に基づいて、図１２のマルチプレクサは次に進み、スケジューリング対象およびスケジューリング対象外フローから適切なビット数を、送信されるプロトコルデータユニットに多重化（１３０４）することができる。一定のビット量を多重化することにより、使用可能なアップリンクリソースが個々のスケジューリング対象およびスケジューリング対象外データフローに割り当てれらることから、この処理はデータ割当て処理とも呼べる。また、スケジューリング対象外制御データが送信を待っている場合、如何なるＨＡＲＱ処理制限からも独立に、このデータは次の送信時間間隔に送信されるプロトコルデータユニットに多重化されることを認識するのは重要である。
【０１６１】
例えば、図１１に示す構成を有するプロトコルデータユニットを形成したら、選択された送信フォーマットコンビネーションを使用し、次の送信時間間隔に使用されるＨＡＲＱ処理に、このデータユニットは送られる。
【０１６２】
図１４は、本発明のさらに別の実施の形態による移動端末の動作の例示的なフロー図を示す。基本的に、図１２と図１３に関して概説した移動端末の動作が時間領域で示される。図１４では、移動端末（ＵＥ）はＵＭＴＳネットワークで使用され、データはＥ−ＤＣＨを介して送信されることが例示目的で仮定される。この図において、ＲＡＮから移動端末（ＵＥ）への矢印は、スケジューリング許可は移動端末の各セルを制御するノードＢにより設定される一方、スケジューリング対象外許可はアップリンクリソースの利用を制御する、無線アクセスネットワークのネットワークエンティティ、例えば、Ｓ−ＲＮＣによって、シグナリングにより選択的に設定されることを示すためのものである。ＵＭＴＳネットワークの場合、ＵＥとＳ−ＲＮＣとの間のこのシグナリングはＲＲＣプロトコルの一部であり得る。
【０１６３】
さらに、アップリンクリソースの利用を制御する、無線アクセスネットワークのネットワークエンティティは、アップリンクチャネルでのデータ送信に使用されるＨＡＲＱ処理数の一部を、ＨＡＲＱ処理セットの一部がスケジューリング対象外ユーザデータの送信に使用されないという形で制限することができる。任意には、同様の制限がスケジューリング対象データの送信に対しても設定され得る。例えば、処理制限は、以下にさらに詳細に概説する、シグナリングメッセージの情報要素内で移動端末（ＵＥ）に指示され得る。
【０１６４】
図１４に示した例示的な実施の形態によれば、移動端末はＴＴＩごとにＥ−ＴＦＣ選択処理を実行する。このＥ−ＴＦＣ選択処理は、スケジューリング対象データ、スケジューリング対象外ユーザデータおよびスケジューリング対象外制御データというアップリンクデータの新しい分類、ならびに上記のいろいろな実施の形態で提案した、ＨＡＲＱ処理制限メカニズムおよびマルチプレクサにより実行されるデータ割当て処理についての修正を採用する「従来の」Ｅ−ＴＦＣ選択処理と考えてよい。
【０１６５】
本発明の別の実施の形態は、フレーミングヘッダの扱い方に対処する。任意には、新しいＥ−ＴＦＣ選択機能は、上位レイヤのデータ、例えば、ＲＬＣ  ＰＤＵに加えて、ＭＡＣ−ｅフレーミングヘッダのようなＭＡＣ−ｅ制御情報を解釈する（account for）こともできる。フレーミングヘッダは上位レイヤのデータに関連付けられるので、使用できる有効な許可が常にあると仮定することができる。
【０１６６】
フレーミングヘッダの解釈のしかたには、二通りのものが提案される。ヘッダを許可の一部とみなすか、ヘッダを許可の一部とみなさないかのいずれかである。スケジューリング対象外制御データの場合には、ヘッダは、対応するＭＡＣ−ｄフローに設定された最大ビット数に含められ得る。他方、許可自体の中のヘッダを解釈するのは難しいかもしれない。フレーミングヘッダのオーバヘッドはかなり小さいことに留意すれば、Ｅ−ＴＦＣ選択（データ割当て手順を含む）の際にヘッダを別途に解釈することもできる。この場合、移動端末はフレーミングヘッダに対するスケジューリング対象外許可を仮定することができる。
【０１６７】
スケジューリング対象データについては、フレーミングヘッダはスケジューリング許可の一部とみなされるか、またはＥ−ＴＦＣ選択の際に移動端末はヘッダに対するスケジューリング対象外許可を仮定することができる。スケジューリング許可自体の中のヘッダを解釈することが実現可能であると考えると、それは割り当てられたリソースへのより正確なマッチングにもつながるであろうし、有利であるとみられる。
【０１６８】
上に概説したＨＡＲＱ処理制限メカニズムの導入の代替案は、ＵＴＲＡＮによる新しい設定である。例えば、非特許文献６に記述されるように、スケジューリング情報の提供は、物理チャネル設定（ＩＥ  Ｅ−ＤＰＤＣＨ  ｉｎｆｏ）の一部として設定され得る。このＵＭＴＳに関連する例では、無線ベアラの確立の際に、ＵＴＲＡＮは無線ベアラセットアップ（RADIO BEARER SETUP）メッセージをＵＥへ送信する。このメッセージは、とりわけ、トランスポートチャネルおよび／または物理チャネル（それぞれＥ−ＤＣＨおよびＥ−ＤＰＤＣＨのような）の設定を含む。また、ＲＲＣ接続セットアップ手順中に、Ｅ−ＤＣＨ接続をセットアップするために、ＵＴＲＡＮは、情報要素ＩＥ「Ｅ−ＤＰＤＣＨ  ＩＮＦＯ」のような物理チャネルパラメータをＵＥへ供給することができる。
【０１６９】
非特許文献６に記述されたシステムを本発明の思想に適合させるために、スケジューリング対象外制御データの送信に対するＨＡＲＱ処理制限が導入される。スケジューリング対象外制御データがスケジューリング情報に相当する場合、スケジューリング対象外制御データの送信に対するＨＡＲＱ処理制限は、スケジューリング情報に対するＨＡＲＱ処理割当てを定義する、新しいＩＥエントリー（情報要素）の導入によって実現され得る。このＩＥは、各ビットが使用可能なＨＡＲＱ処理の一つを表すビット列を含むことができる。個々のビットの論理値によって、対応するＨＡＲＱ処理がスケジューリング情報の送信にアクティブまたは非アクティブにされる。すべてのＨＡＲＱ処理がスケジューリング情報の送信にアクティブであることを保証するには、ＩＥを１１１１１１１１に設定する（８個のＨＡＲＱ処理が使用可能であると仮定する場合）。ただし、スケジューリング対象外制御データの送信に特定のＨＡＲＱ処理を明示的にアクティブ／非アクティブにすることも可能である。後者の場合は、スケジューリング対象外制御データに対する許容遅延を決定しなければならないことと、それに応じて、スケジューリング対象外制御データ送信のためのＨＡＲＱ処理の使用を制限しなければならないこととの間のトレードオフである。
【０１７０】
スケジューリング情報に対するＨＡＲＱ処理割当てを定義する、あり得る情報要素の例を以下に示す。
【０１７１】
【表１】
2008005507.tif 000003
【０１７２】
本発明の別の実施の形態は、ハードウェアおよびソフトウェアを使用した、前述の多様な実施の形態の実現に関連する。本発明の多様な実施の形態は、汎用プロセッサ、デジタルシグナルプロセッサ（ＤＳＰ）、特定用途向け集積回路（ＡＳＩＣ）、フィールドプログラマブルゲートアレイ（ＦＰＧＡ）またはその他のプログラム可能論理回路などを使用して実現可能であることが認識される。本発明の多様な実施の形態は、上記のデバイスの組合せによっても実施または実現され得る。特に注目されるのは、アップリンクデータの処理と分類、ＴＴＩ長の設定と制御、異なるデータタイプのトランスポートブロックまたはプロトコルデータユニットへの多重化、許可の設定と維持などはコンピュータデバイスの形態のハードウェアの使用により達成され得ることである。
【０１７３】
さらに、本発明の多様な形態は、プロセッサで実行されるまたは直接ハードウェアに組み込むソフトウェアモジュールを用いても実現可能である。また、ソフトウェアモジュールとハードウェア実現の組合せも可能である。ソフトウェアモジュールは、コンピュータ読取可能などんな種類の記憶媒体（例えば、ＲＡＭ、ＥＰＲＯＭ、ＥＥＰＲＯＭ、フラッシュメモリ、レジスタ、ハードディスク、ＣＤ−ＲＯＭ、ＤＶＤなど）に記憶されてもよい。
【図面の簡単な説明】
【０１７４】
【図１】ＵＭＴＳの高レベル構成
【図２】ＵＭＴＳ  Ｒ９９／４／５によるＵＴＲＡＮの構成
【図３】ユーザ装置上の全体的Ｅ−ＤＣＨ  ＭＡＣ構成
【図４】ユーザ装置上の簡略化した構成におけるＭＡＣ相互動作
【図５】ユーザ装置上のＭＡＣ−ｅ／ｅｓ構成
【図６】ＵＴＲＡＮにおける全体的ＭＡＣ構成
【図７】ノードＢのＭＡＣ−ｅ構成
【図８】Ｓ−ＲＮＣのＭＡＣ−ｅｓ構成
【図９】相対的許可の時間関係性
【図１０】ＭＡＣ−ｅｓ  ＰＤＵの構成
【図１１】ＭＡＣ−ｅ  ＰＤＵの構成
【図１２】本発明の一実施の形態を実行するための移動端末の機能エンティティの構成概要の模式図
【図１３】本発明の一実施の形態による移動端末により実行される方法の各ステップの例示的なフロー図
【図１４】本発明のさらに別の実施の形態による移動端末の動作の例示的なフロー図
【図１】
2008005507.tif 000004
【図２】
2008005507.tif 000005
【図３】
2008005507.tif 000006
【図４】
2008005507.tif 000007
【図５】
2008005507.tif 000008
【図６】
2008005507.tif 000009
【図７】
2008005507.tif 000010
【図８】
2008005507.tif 000011
【図９】
2008005507.tif 000012
【図１０】
2008005507.tif 000013
【図１１】
2008005507.tif 000014
【図１２】
2008005507.tif 000015
【図１３】
2008005507.tif 000016
【図１４】
2008005507.tif 000017